(57)【要約】  例示的な方法及び装置は、ワイヤレス通信デバイスに関するセル状態制御のための"第１"及び"第２"のインジケータの有利な使用を提供する。単独で送信される場合、第１のインジケータは、デバイス内で実装される対応するシーケンシャルな状態遷移ロジックに従ってアクティブ化／非アクティブ化の状態遷移を示し、第２のインジケータは、デバイス内で実装される対応するシーケンシャルな状態遷移ロジックに従ってアクティブ化／休眠の状態遷移を示す。デバイスの所与のサービングセルについて共時的に送信される場合、第１及び第２のインジケータは、現行のセル状態に関わらず、デバイスについてセルの動作状態がどのようなものであるべきかを示す組合せペアとして働く。一例として、この場合、前述した"配置"は、レガシーのアクティブ化／非アクティブ化インジケータの"通常の"使用を含む、多くの状態制御のシナリオ向けのセルごとに単一ビットのシグナリングをネットワークが使用することを可能にしながら、一方でセルの現行の状態に依存しないセルごとの２ビットのシグナリングを介して絶対的な状態制御をも提供する。
2021520676.tif 000002
【特許請求の範囲】
【請求項１】
ワイヤレス通信ネットワーク（１００）において動作するワイヤレス通信デバイス（１２０）による動作の方法（３１０）であって、
第１のインジケータ若しくは第２のインジケータを単独で、又は双方のインジケータを共時的に受信すること（３１２）であって、前記ワイヤレス通信ネットワーク（１００）内の無線ネットワークノード（１１０）は、当該ネットワーク（１００）内のサービングセル（１１）の動作状態が前記ワイヤレス通信デバイス（１２０）についてどうあるべきかを示すために前記第１のインジケータ及び前記第２のインジケータを使用し、前記動作状態は、アクティブ化状態、非アクティブ化状態及び休眠状態のうちのいずれか１つであり得る、ことと、
示された前記動作状態を判定することであって、
前記第１のインジケータ及び前記第２のインジケータを共時的に受信すると（３１４ａ）、前記第１のインジケータ及び前記第２のインジケータを併せて値の組合せとして解釈し、当該解釈に従って、第１の組合せが前記非アクティブ化状態を示し、第２の組合せが前記アクティブ化状態を示し、第３の組合せが前記休眠状態を示し、
前記第１のインジケータを単独で受信すると（３１４ｂ）、前記第１のインジケータの第１の値を前記非アクティブ化状態を示すものとして解釈し、現行の動作状態が前記休眠状態又は前記アクティブ化状態であるならば前記第１のインジケータの第２の値を前記動作状態の変更なしを示すものとして解釈し、前記現行の動作状態が前記非アクティブ化状態であるならば前記第１のインジケータの前記第２の値を前記アクティブ化状態を示すものとして解釈し、
前記第２のインジケータを単独で受信すると（３１４ｃ）、現行の動作状態が前記休眠状態であるならば前記第２のインジケータの第１の値を前記アクティブ化状態を示すものとして解釈し、前記現行の動作状態が前記休眠状態ではないならば前記第２のインジケータの前記第１の値を前記動作状態の変更なしを示すものとして解釈し、前記第２のインジケータの第２の値を前記休眠状態を示すものとして解釈する、ことと、
を含む方法（３１０）。
【請求項２】
請求項１に記載の方法（３１０）であって、前記第１のインジケータ及び前記第２のインジケータは、それぞれバイナリ変数である、方法（３１０）。
【請求項３】
請求項１又は２に記載の方法（３１０）であって、前記ワイヤレス通信デバイス（１２０）は、前記第１のインジケータ及び前記第２のインジケータの前記共時的な受信を、定義された時間的又は論理的な関係に従った前記第１のインジケータ及び前記第２のインジケータの受信として認識し、前記第１のインジケータの前記単独での受信を、前記定義された時間的又は論理的な関係に従った前記第２のインジケータの受信なしでの前記第１のインジケータの受信として認識し、前記第２のインジケータの前記単独での受信を、前記定義された時間的又は論理的な関係に従った前記第１のインジケータの受信なしでの前記第２のインジケータの受信として認識する、方法（３１０）。
【請求項４】
請求項３に記載の方法（３１０）であって、前記定義された論理的な関係は、前記無線ネットワークノード（１１０）により送信され前記ワイヤレス通信デバイス（１２０）において受信される同じメッセージに前記第１のインジケータ及び前記第２のインジケータが含まれること、を含む、方法（３１０）。
【請求項５】
請求項１〜４のいずれかに記載の方法（３１０）であって、前記サービングセルの示された前記動作状態に従って、前記サービングセルに関して前記ワイヤレス通信デバイス（１２０）の動作を適応させること、をさらに含む、方法（３１０）。
【請求項６】
請求項１〜５のいずれかに記載の方法（３１０）であって、前記第１のインジケータ及び前記第２のインジケータの各々は、前記ワイヤレス通信デバイス（１２０）により実行されるメディアアクセス制御（ＭＡＣ）レイヤ処理により使用されるＭＡＣ制御エレメントである、方法（３１０）。
【請求項７】
ワイヤレス通信ネットワーク（１００）における動作のために構成されるワイヤレス通信デバイス（１２０）であって、
第１のインジケータ若しくは第２のインジケータを単独で、又は双方のインジケータを共時的に受信することを含めて、前記ワイヤレス通信ネットワーク（１００）の無線ネットワークノード（１１０）とワイヤレスに通信するための通信回路（１００６）であって、前記無線ネットワークノードは、前記ネットワーク（１００）内のサービングセル（１１）の動作状態が前記ワイヤレス通信デバイス（１２０）についてどうあるべきかを示すために前記第１のインジケータ及び前記第２のインジケータを使用し、前記動作状態は、アクティブ化状態、非アクティブ化状態及び休眠状態のうちのいずれか１つであり得る、通信回路（１００６）と、
前記通信回路（１００６）に動作可能に関連付けられ、示される前記動作状態を判定するように構成される処理回路（１００４）であって、
前記第１のインジケータ及び前記第２のインジケータが共時的に受信されると、前記第１のインジケータ及び前記第２のインジケータを併せて値の組合せとして解釈し、当該解釈に従って、第１の組合せが前記非アクティブ化状態を示し、第２の組合せが前記アクティブ化状態を示し、第３の組合せが前記休眠状態を示し、
前記第１のインジケータが単独で受信されると、前記第１のインジケータの第１の値を前記非アクティブ化状態を示すものとして解釈し、現行の動作状態が前記休眠状態又は前記アクティブ化状態であるならば前記第１のインジケータの第２の値を前記動作状態の変更なしを示すものとして解釈し、前記現行の動作状態が前記非アクティブ化状態であるならば前記第１のインジケータの前記第２の値を前記アクティブ化状態を示すものとして解釈し、
前記第２のインジケータが単独で受信されると、現行の動作状態が前記休眠状態であるならば前記第２のインジケータの第１の値を前記アクティブ化状態を示すものとして解釈し、前記現行の動作状態が前記休眠状態ではないならば前記第２のインジケータの前記第１の値を前記動作状態の変更なしを示すものとして解釈し、前記第２のインジケータの第２の値を前記休眠状態を示すものとして解釈する、処理回路（１００４）と、
を備えるワイヤレス通信デバイス（１２０）。
【請求項８】
請求項７に記載のワイヤレス通信デバイス（１２０）であって、前記第１のインジケータ及び前記第２のインジケータは、それぞれバイナリ変数である、ワイヤレス通信デバイス（１２０）。
【請求項９】
請求項７又は８に記載のワイヤレス通信デバイス（１２０）であって、前記処理回路（１００４）は、前記第１のインジケータ及び前記第２のインジケータの前記共時的な受信を、定義された時間的又は論理的な関係に従った前記第１のインジケータ及び前記第２のインジケータの受信として認識し、前記第１のインジケータの前記単独での受信を、前記定義された時間的又は論理的な関係に従った前記第２のインジケータの受信なしでの前記第１のインジケータの受信として認識し、前記第２のインジケータの前記単独での受信を、前記定義された時間的又は論理的な関係に従った前記第１のインジケータの受信なしでの前記第２のインジケータの受信として認識する、ように構成される、ワイヤレス通信デバイス（１２０）。
【請求項１０】
請求項９に記載のワイヤレス通信デバイス（１２０）であって、前記定義された論理的な関係は、前記無線ネットワークノード（１１０）により送信され前記ワイヤレス通信デバイス（１２０）において受信される同じメッセージに前記第１のインジケータ及び前記第２のインジケータが含まれること、を含む、ワイヤレス通信デバイス（１２０）。
【請求項１１】
請求項７〜１０のいずれかに記載のワイヤレス通信デバイス（１２０）であって、前記処理回路（１００４）は、前記サービングセルの示された前記動作状態に従って、前記サービングセルに関して前記ワイヤレス通信デバイス（１２０）の動作を適応させる、ように構成される、ワイヤレス通信デバイス（１２０）。
【請求項１２】
請求項７〜１１のいずれかに記載のワイヤレス通信デバイス（１２０）であって、前記第１のインジケータ及び前記第２のインジケータの各々は、前記処理回路（１００４）において実装されるメディアアクセス制御（ＭＡＣ）レイヤ処理により使用されるＭＡＣ制御エレメントである、ワイヤレス通信デバイス（１２０）。
【請求項１３】
ワイヤレス通信ネットワーク（１００）において動作するために構成される無線ネットワークノード（１１０）における動作の方法（４１０）であって、
前記ネットワーク（１００）内のサービングセル（１１）の動作状態がワイヤレス通信デバイス（１２０）についてどうあるべきかを判定すること（４１２）であって、前記動作状態は、アクティブ化状態、非アクティブ化状態及び休眠状態のうちのいずれか１つであり得る、ことと、
第１のインジケータの単独での送信、第２のインジケータの単独での送信、又は双方のインジケータの共時的な送信のうちで選択を行うこと（４１４ａ）により、判定した前記動作状態を前記ワイヤレス通信デバイス（１２０）へ示すために使用すべきシグナリングメカニズムを選択すること（４１４）と、
選択した前記シグナリングメカニズムを用いて、判定した前記動作状態を前記ワイヤレス通信デバイス（１２０）へ示すこと（４１６）と、を含み、
双方のインジケータの前記共時的な送信について、前記第１のインジケータ及び前記第２のインジケータの値の第１の組合せが前記非アクティブ化状態を示し、第２の組合せが前記アクティブ化状態を示し、第３の組合せが前記休眠状態を示し、
前記第１のインジケータの前記単独での送信について、第１の値は前記非アクティブ化状態を示し、現行の動作状態が前記休眠状態又は前記アクティブ化状態であるならば第２の値が前記動作状態の変更なしを示し、前記現行の動作状態が前記非アクティブ化状態であるならば前記第２の値が前記アクティブ化状態を示し、
前記第２のインジケータの前記単独での送信について、前記現行の動作状態が前記休眠状態であるならば第１の値が前記アクティブ化状態を示し、前記現行の動作状態が前記休眠状態ではないならば前記第１の値が前記動作状態の変更なしを示し、第２の値は前記休眠状態を示す、
方法（４１０）。
【請求項１４】
請求項１３に記載の方法（４１０）であって、選択を行う前記ステップは、前記現行の動作状態を考慮して、判定した前記動作状態を示すために前記単独での送信のうちの１つを使用できる場合に、前記単独での送信のうちの１つを選択することと、そうではない場合に、前記共時的な送信を選択することと、を含む、方法（４１０）。
【請求項１５】
請求項１３又は１４に記載の方法（４１０）であって、各単独での送信は、前記第１のインジケータ及び前記第２のインジケータのうちの一方を、前記第１のインジケータ及び前記第２のインジケータの定義された時間的又は論理的な関係に従って前記第１のインジケータ及び前記第２のインジケータのうちの他方を送信することなく送信すること、を含み、前記共時的な送信は、前記第１のインジケータ及び前記第２のインジケータを、前記第１のインジケータ及び前記第２のインジケータの前記定義された時間的又は論理的な関係に従って送信すること、を含む、方法（４１０）。
【請求項１６】
請求項１３〜１５のいずれかに記載の方法（４１０）であって、各単独での送信は、前記第１のインジケータ及び前記第２のインジケータのうちの一方を、前記第１のインジケータ及び前記第２のインジケータのうちの他方を含まないメッセージの中で送信すること、を含み、前記共時的な送信は、双方のインジケータを同じメッセージの中で送信すること、を含む、方法（４１０）。
【請求項１７】
請求項１３〜１６のいずれかに記載の方法（４１０）であって、前記第１のインジケータ及び前記第２のインジケータの各々は、前記無線ネットワークノード（１１０）により実行されるメディアアクセス制御（ＭＡＣ）レイヤ処理により使用されるＭＡＣ制御エレメントである、方法（４１０）。
【請求項１８】
ワイヤレス通信ネットワーク（１００）における動作のために構成される無線ネットワークノード（１１０）であって、
ワイヤレス通信デバイス（１２０）とワイヤレスに通信するために構成される通信回路（２００６）と、
前記通信回路（２００６）に動作可能に関連付けられる処理回路（２００４）と、を備え、前記処理回路（２００４）は、
前記ネットワーク（１００）内のサービングセル（１１）の動作状態が前記ワイヤレス通信デバイス（１２０）についてどうあるべきかを判定することであって、前記動作状態は、アクティブ化状態、非アクティブ化状態及び休眠状態のうちのいずれか１つであり得る、ことと、
第１のインジケータの単独での送信、第２のインジケータの単独での送信、又は双方のインジケータの共時的な送信のうちで選択を行うことにより、判定した前記動作状態を前記ワイヤレス通信デバイス（１２０）へ示すために使用すべきシグナリングメカニズムを選択することと、
選択した前記シグナリングメカニズムを用いて、判定した前記動作状態を前記ワイヤレス通信デバイス（１２０）へ示すことと、を行うように構成され、
双方のインジケータの前記共時的な送信について、前記第１のインジケータ及び前記第２のインジケータの値の第１の組合せが前記非アクティブ化状態を示し、第２の組合せが前記アクティブ化状態を示し、第３の組合せが前記休眠状態を示し、
前記第１のインジケータの前記単独での送信について、第１の値は前記非アクティブ化状態を示し、現行の動作状態が前記休眠状態又は前記アクティブ化状態であるならば第２の値が前記動作状態の変更なしを示し、前記現行の動作状態が前記非アクティブ化状態であるならば前記第２の値が前記アクティブ化状態を示し、
前記第２のインジケータの前記単独での送信について、前記現行の動作状態が前記休眠状態であるならば第１の値が前記アクティブ化状態を示し、前記現行の動作状態が前記休眠状態ではないならば前記第１の値が前記動作状態の変更なしを示し、第２の値は前記休眠状態を示す、無線ネットワークノード（１１０）。
【請求項１９】
請求項１８に記載の無線ネットワークノード（１１０）であって、前記処理回路（２００４）は、前記現行の動作状態を考慮して、判定した前記動作状態を示すために前記単独での送信のうちの１つを使用できる場合に、前記単独での送信のうちの１つを選択し、そうではない場合に、前記共時的な送信を選択する、ように構成される、無線ネットワークノード（１１０）。
【請求項２０】
請求項１８又は１９に記載の無線ネットワークノード（１１０）であって、前記処理回路（２００４）は、各単独での送信を、前記第１のインジケータ及び前記第２のインジケータのうちの一方を、前記第１のインジケータ及び前記第２のインジケータの定義された時間的又は論理的な関係に従って前記第１のインジケータ及び前記第２のインジケータのうちの他方を送信することなく送信することにより遂行し、前記共時的な送信を、前記第１のインジケータ及び前記第２のインジケータを、前記第１のインジケータ及び前記第２のインジケータの前記定義された時間的又は論理的な関係に従って送信することにより遂行する、ように構成される、無線ネットワークノード（１１０）。
【請求項２１】
請求項１８〜２０のいずれかに記載の無線ネットワークノード（１１０）であって、前記処理回路（２００４）は、各単独での送信を、前記第１のインジケータ及び前記第２のインジケータのうちの一方を、前記第１のインジケータ及び前記第２のインジケータのうちの他方を含まないメッセージの中で送信することにより遂行し、前記共時的な送信を、双方のインジケータを同じメッセージの中で送信することにより遂行する、ように構成される、無線ネットワークノード（１１０）。
【請求項２２】
請求項１８〜２１のいずれかに記載の無線ネットワークノード（１１０）であって、前記第１のインジケータ及び前記第２のインジケータの各々は、前記無線ネットワークノード（１１０）により実行されるメディアアクセス制御（ＭＡＣ）レイヤ処理により使用されるＭＡＣ制御エレメントである、無線ネットワークノード（１１０）。
【発明の詳細な説明】
【技術分野】
【０００１】
［関連出願］
本出願は、２０１８年２月２７日に提出され出願番号６２／６３５，８７０により識別される米国仮出願からの優先権を主張する。
【０００２】
［技術分野］
本開示は、ワイヤレス通信デバイスについてワイヤレス通信ネットワークにおけるサービングセルの動作状態がどういうものとされるべきかを判定し又は示すための方法及び装置に関連する。
【背景技術】
【０００３】
第３世代パートナーシッププロジェクト（３ＧＰＰ）により発布された所謂第４世代（４Ｇ）ネットワークについての規格は、Ｅ−ＵＴＲＡＮ（Evolved Universal Terrestrial Radio Access Network）及びそれに関連付けられるＬＴＥ（Long Term Evolution）エアインタフェースを定義している。ＬＴＥ規格では、２０ＭＨｚまでの無線周波数（ＲＦ）キャリア帯域幅が提供され、"キャリアアグリゲーション"あるいはＣＡは、より一層広い帯域幅で動作するためのメカニズムを提供する。
【０００４】
ＣＡでは、ワイヤレス通信ネットワークは、ワイヤレス通信デバイスについて１つよりも多くの"セル"をサービングセルとして構成する。ここで、各"セル"は、対応する地理的エリア上でサービスを提供する定義された帯域幅のＬＴＥキャリアにより表されるが、"セル"との用語は、ビームフォーミング又はビームステアリングで見られるような静的な又は動的なサービスエリアを包含するものとして、広く理解されるべきである。１つよりも多くのキャリアと共にデバイスへサービスすることで、実効の又は統合的な帯域幅が増大する。
【０００５】
例示的なＣＡ動作は、デバイスに関するＣＡ動作用のセルのセットをネットワークが構成することを含み、そのセットは少なくともプライマリセル（ＰＣｅｌｌ）及び４つまでのセカンダリセル（ＳＣｅｌｌ）を含む。ネットワークからデバイスへ送信される無線リソース制御（ＲＲＣ）シグナリングが、デバイスへそのＣＡ構成の詳細を通知する。２０ＭＨｚというキャリアごとの帯域幅を想定すると、１つのＰＣｅｌｌ及び４つのＳＣｅｌｌを介してデバイスへサービスすれば、１００ＭＨｚの実効又は統合帯域幅が提供される（対応する例について図１参照）。
【０００６】
しかしながら、ＣＡ動作は、ＣＡ構成の中で、任意の所与の時点でデバイスについて"アクティブ化される"ＳＣｅｌｌの数をネットワークが制御することを可能にする。即ち、ＣＡ構成内の各ＳＣｅｌｌが、ＣＡのコンテキストにおけるそうした使用のために構成されたものとして、デバイスの"サービングセル"ではあるものの、ネットワークは、ネットワークとデバイスとの間でデータを通信するために、それらＳＣｅｌｌのそれぞれをアクティブな使用状態におくかを制御する。
【０００７】
アクティブ化／非アクティブ化制御は、ネットワークが任意の所与の時点でデバイスについてアクティブ化されるセルの数を制御することを可能にし、例えばネットワーク条件及びデバイスの通信サービスのニーズが考慮される。アクティブ化／非アクティブ化制御は基礎となるＣＡ構成の変化よりも速く生じるため、ネットワークは、デバイスへのアクティブ化／非アクティブ化制御のシグナリングのためにメディアアクセス制御（ＭＡＣ）シグナリングを使用する。
【０００８】
アクティブ化／非アクティブ化制御は、したがって、４Ｇネットワークが必要に応じたデバイス向けのアクティブ化のために複数のセルを構成したまま維持する可能性を提供する。図２は、デバイスについてＳＣｅｌｌをアクティブ化／非アクティブ化するために４Ｇネットワークのコンテキストにおいて使用される既存のメッセージタイプ／フォーマットを示している。既存の、即ち"レガシーの"メッセージの全体的な詳細は、３ＧＰＰ技術仕様（ＴＳ）３６．３２１  Ｖ１５．０．０のセクション５．１３及び６．１．３．８に見られる。
【０００９】
それら詳細によれば、レガシーメッセージは、"Ｃ"状態表示ビット群を有する長さ１オクテット又は４オクテットのＭＡＣ制御エレメント（ＣＥ）を含み、各"Ｃｉ"ビットが関係するワイヤレス通信デバイスのＣＡ構成内のＳＣｅｌｌのうちのそれぞれｉ番目についての状態インジケータとして働く。そのため、レガシーのＭＡＣ  ＣＥを単一ビット方式と見なしてよく、あらためていうと、レガシーのＭＡＣ  ＣＥは、ＣＡ構成内のＳＣｅｌｌごとに１ビットのフラグ又はインジケータを搬送し、これを"レガシーインジケータ"という。例えば、レガシーのＭＡＣ  ＣＥは、"Ｃ"ビット群を含み、各Ｃｉビットがｉ番目のセルに対応する。"１"にセットされたＣｉビットは、対応するｉ番目のセルがそのデバイスについてアクティブ化されることを示し、"０"は、ｉ番目のセルがそのデバイスについて非アクティブ化されることを示す。
【００１０】
アクティブ化及び非アクティブ化の状態に加えて、ＳＣｅｌｌについて"休眠（dormant）"状態というまた別の状態が導入されるかもしれない。しかしながら、"休眠"状態の導入は、ある課題を引き起こす。休眠状態に関する詳細は確定していないが、その状態はアクティブ化状態と非アクティブ化状態との間の何らかのものを表す。１つの提案によれば、そのＣＡ構成内のＳＣｅｌｌの１つに関して休眠状態で動作するワイヤレス通信デバイスは、そのセルについてチャネル品質インジケータ（ＣＱＩ）をレポートするが、そのセルのダウンリンクデータチャネル及びダウンリンク制御チャネルを監視せず、例えばそのセルの物理ダウンリンク共有チャネル（ＰＤＳＣＨ）又は物理ダウンリンク制御チャネル（ＰＤＣＣＨ）を監視しないことになるであろう。
【００１１】
ＳＣｅｌｌのダウンリンクデータ／制御チャネルを監視しないことは、デバイスにおける電力消費を低減し、同時に、ＳＣｅｌｌについてチャネル品質の監視及びレポーティング（ＣＱＩレポーティング）を行うことは、デバイスについてＳＣｅｌｌをアクティブ化状態に遷移させるスピードを向上させる。即ち、ＳＣｅｌｌを休眠状態からアクティブ化状態へ移行するのは、ＳＣｅｌｌを非アクティブ化状態からアクティブ化状態へ移行するよりも速い。アクティブ化状態へのより高速な遷移は、データ送信の遅延を低減する。３ＧＰＰ  ＴＳＧ−ＲＡＮ  ＷＧ２（Technical Specifications Group Radio Access Network Working Group 2）の第１０１回ミーティングで提出された文書Ｒ２−１８０２００２は、休眠状態との間でセルを移行するための新たなＭＡＣ  ＣＥを追加することを提案しており、その提案では、新たなＭＡＣ  ＣＥが、アクティブ化／非アクティブ化状態制御のために定義されたレガシーのＭＡＣ  ＣＥに取って代わることになる。提案されたＭＡＣ  ＣＥの様子については図３を参照されたい。
【００１２】
Ｒ２−１８０２００２は、新たなＭＡＣ  ＣＥが、ワイヤレス通信デバイスのＣＡ構成内のＳＣｅｌｌごとに２ビットを、デバイスの個別のＳＣｅｌｌの状態遷移を示すために使用することを提案している。例えば、２つの"Ｃ１"ビットが１つのビットペアを形成し、２つの"Ｃ２"ビットが１つのビットペアを形成するなどである。
【００１３】
提案されたこのＭＡＣ  ＣＥによれば、"１１"という設定は、セルがデバイス向けにアクティブ化されることを示し、"０１"という設定は、セルがデバイス向けに休眠に入ることを示し、"００"という設定は、セルがデバイス向けに非アクティブ化されることを示す。Ｒ２−１８０２００２において提案された２ビット方式は、３つの状態−アクティブ化、非アクティブ化及び休眠−全ての間で所与のデバイスのＣＡ構成内のＳＣｅｌｌを遷移させるためのシグナリングのメカニズムを提供するが、その方式はレガシーＭＡＣ  ＣＥにおいて具現化されていた前述した単一ビット方式との互換性を有しない。
【００１４】
よって、提案されたＭＡＣ  ＣＥは、サービングセルをアクティブ化し及び非アクティブ化するためにレガシーＭＡＣ  ＣＥを基礎としている既存の通信ネットワークの実装に対する変更を要する。さらに、提案されたＭＡＣ  ＣＥは、ＳＣｅｌｌごとに２ビットを伴うものであり、レガシーＭＡＣ  ＣＥと比較して追加的なシグナリングオーバヘッドを課す。なぜなら、シグナリングされる状態遷移に関わらずセルごとに２ビットをシグナリングすることを要するからである。
【発明の概要】
【００１５】
例示的な方法及び装置は、ワイヤレス通信デバイスに関するセル状態制御のための"第１"及び"第２"のインジケータの有利な使用を提供する。単独で送信される場合、第１のインジケータは、デバイス内で実装される対応するシーケンシャルな状態遷移ロジックに従ってアクティブ化／非アクティブ化の状態遷移を示し、第２のインジケータは、デバイス内で実装される対応するシーケンシャルな状態遷移ロジックに従ってアクティブ化／休眠の状態遷移を示す。デバイスの所与のサービングセルについて共時的に（jointly）送信される場合、第１及び第２のインジケータは、現行のセル状態に関わらず、デバイスについてセルの動作状態がどのようなものであるべきかを示す組合せペアとして働く。一例として、この場合、前述した"配置"は、レガシーのアクティブ化／非アクティブ化インジケータの"通常の"使用を含む、多くの状態制御のシナリオ向けのセルごとに単一ビットのシグナリングをネットワークが使用することを可能にしながら、一方でセルの現行の状態に依存しないセルごとの２ビットのシグナリングを介して絶対的な状態制御をも提供する。
【００１６】
１つの例において、ワイヤレス通信ネットワークにおいて動作するワイヤレス通信デバイスによる動作の方法は、当該デバイスが、第１のインジケータ若しくは第２のインジケータを単独で、又は双方のインジケータを共時的に受信すること、を含む。この文脈において、ワイヤレス通信ネットワーク内の無線ネットワークノードは、当該ネットワーク内のサービングセルの動作状態が上記デバイスについてどうあるべきかを示すために、第１のインジケータ及び第２のインジケータを使用する。動作状態は、アクティブ化状態、非アクティブ化状態及び休眠状態のうちのいずれか１つであることができ、上記方法は、上記デバイスが示された動作状態を判定すること、を含む。ここで、留意すべきこととして、サービングセルの動作状態とは、デバイスの視点からのものであり、即ち、デバイスは、サービングセルに関して、受信したインジケータから当該デバイスにより判定された通りのセルの"状態"に従って動作する。
【００１７】
第１のインジケータ及び第２のインジケータが共時的に受信されると、上記方法は、第１のインジケータ及び第２のインジケータを併せて値の組合せとして解釈すること、を含み、その解釈によれば、第１の組合せが非アクティブ化状態を示し、第２の組合せがアクティブ化状態を示し、第３の組合せが休眠状態を示す。第１のインジケータが単独で受信されると、上記方法は、第１のインジケータの第１の値を非アクティブ化状態を示すものとして解釈し、現行の動作状態が休眠状態又はアクティブ化状態であるならば第１のインジケータの第２の値を動作状態の変更なしを示すものとして解釈し、現行の動作状態が非アクティブ化状態であるならば第１のインジケータの第２の値をアクティブ化状態を示すものとして解釈すること、を含む。第２のインジケータが単独で受信されると、上記方法は、現行の動作状態が休眠状態であるならば第２のインジケータの第１の値をアクティブ化状態を示すものとして解釈し、現行の動作状態が休眠状態ではないならば第２のインジケータの第１の値を動作状態の変更なしを示すものとして解釈し、第２のインジケータの第２の値を休眠状態を示すものとして解釈すること、を含む。
【００１８】
１つ以上の実装例において、第１のインジケータ及び第２のインジケータは、それぞれバイナリ変数である。さらに、同じ又は他の実装例において、上記デバイスは、第１のインジケータ及び第２のインジケータの共時的な受信を、定義された時間的又は論理的な関係に従った第１のインジケータ及び第２のインジケータの受信として認識する。例えば、上記デバイスの任意の数のサービングセルについて、第１のインジケータ及び第２のインジケータが、同じメッセージの中で受信されてもよく、又は時間的に近い別個のメッセージの中で受信されてもよい。対応する形で、上記デバイスは、第１のインジケータの単独での受信を、定義された時間的又は論理的な関係に従った第２のインジケータの受信なしでの第１のインジケータの受信として認識する。同様に、上記デバイスは、第２のインジケータの単独での受信を、定義された時間的又は論理的な関係に従った第１のインジケータの受信なしでの第２のインジケータの受信として認識する。上記デバイスが"第１のインジケータ"又は"第２のインジケータ"を受信する、という言い方は、状態制御の対象であるデバイスのサービングセルのうちの各々について第１のインジケータ又は第２のインジケータを上記デバイスが受信することを示唆するものとして理解されるべきである。
【００１９】
対応する装置の例は、４Ｇ又は５Ｇの無線アクセスネットワーク（ＲＡＮ）を提供するものといった、ワイヤレス通信ネットワークにおける動作のために構成されたワイヤレス通信デバイスを包含する。上記デバイスは、第１のインジケータ若しくは第２のインジケータを単独で、又は双方のインジケータを共時的に受信することを含めて、ネットワークの無線ネットワークノードとワイヤレスに通信するための通信回路を含む。この文脈において、無線ネットワークノードは、当該ネットワーク内のサービングセルの動作状態がワイヤレス通信デバイスについてどうあるべきかを示すために、第１のインジケータ及び第２のインジケータを使用する。少なくともいくつかの実施形態において、上記サービングセルは、上記デバイスのキャリアアグリゲーション（ＣＡ）構成におけるＳＣｅｌｌであり、上記デバイスとデータを交換するためにその時点でアクティブ化されているかに関わらず、"サービングセル"であると見なされる。
【００２０】
サービングセルの動作状態は、アクティブ化状態、非アクティブ化状態及び休眠状態のうちのいずれか１つであることができる。あらためていうと、これらセルの"状態"は、セルに関してデバイスがどのように動作するものと想定されるかを示し、デバイスは、通信回路と動作可能に関連付けられる処理回路であって、示された動作状態を判定するように構成される当該処理回路を含む。
【００２１】
第１のインジケータ及び第２のインジケータの共時的な受信について、上記処理回路は、第１のインジケータ及び第２のインジケータを併せて値の組合せとして解釈するように構成され、その解釈によれば、第１の組合せが非アクティブ化状態を示し、第２の組合せがアクティブ化状態を示し、第３の組合せが休眠状態を示す。第１のインジケータの単独での受信について、上記処理回路は、第１のインジケータの第１の値を非アクティブ化状態を示すものとして解釈し、現行の動作状態が休眠状態又はアクティブ化状態であるならば第１のインジケータの第２の値を動作状態の変更なしを示すものとして解釈し、現行の動作状態が非アクティブ化状態であるならば第１のインジケータの第２の値をアクティブ化状態を示すものとして解釈する、ように構成される。第２のインジケータの単独での受信について、上記処理回路は、現行の動作状態が休眠状態であるならば第２のインジケータの第１の値をアクティブ化状態を示すものとして解釈し、現行の動作状態が休眠状態ではないならば第２のインジケータの第１の値を動作状態の変更なしを示すものとして解釈し、第２のインジケータの第２の値を休眠状態を示すものとして解釈する、ように構成される。
【００２２】
すぐ上で説明したインジケータ方式の１つの利点は、ネットワークが、単一インジケータ受信のシナリオのためにデバイスに実装された状態ベースのロジックに依存して、少なくともいくつかのセル状態の遷移をシグナリングするために、セルごとに単一ビットのインジケータを使用することができ、かつ、現行のセルの状態には依存せずにセル状態の遷移をシグナリングするためにセルごとに２ビットのインジケータを使用することができることである。対応する例において、ワイヤレス通信ネットワークにおける動作のために構成される無線ネットワークノードにおける動作の方法は、ネットワーク内のサービングセルの動作状態がワイヤレス通信デバイスについてどうあるべきかを判定すること、を含む。動作状態は、アクティブ化状態、非アクティブ化状態及び休眠状態のうちのいずれか１つであることができる。
【００２３】
例としての上記方法は、上記無線ネットワークノードが、第１のインジケータの単独での送信、第２のインジケータの単独での送信、又は双方のインジケータの共時的な送信のうちで選択を行うことにより、判定した動作状態を上記デバイスへ示すために使用すべきシグナリングメカニズムを選択すること、を含む。対応する形で、上記方法は、上記無線ネットワークノードが選択したシグナリングメカニズムを用いて判定した動作状態を上記デバイスへ示すこと、を含む。少なくともいくつかの実施形態において、第１のインジケータ及び第２のインジケータは、少なくともセルごとに各々単一ビットのインジケータである。即ち、サービングセルとして利用可能なある数のセルを有するように構成されたデバイスについて、第１のインジケータ又は第２のインジケータは、各々ビットマップを含んでもよく、その中で各ビット位置がセルのうちの１つに対応し、各ビット位置におけるビットの状態が、デバイスについてそのセルの動作状態がどうあるべきかを示す。
【００２４】
双方のインジケータの共時的な送信について、第１のインジケータ及び第２のインジケータの値の第１の組合せが非アクティブ化状態を示し、第２の組合せがアクティブ化状態を示し、第３の組合せが休眠状態を示す。第１のインジケータの単独での送信について、第１の値は非アクティブ化状態を示し、現行の動作状態が休眠状態又はアクティブ化状態であるならば第２の値が動作状態の変更なしを示し、現行の動作状態が非アクティブ化状態であるならば第２の値がアクティブ化状態を示す。第２のインジケータの単独での送信について、現行の動作状態が休眠状態であるならば第１の値がアクティブ化状態を示し、現行の動作状態が休眠状態ではないならば第１の値が動作状態の変更なしを示し、第２の値は休眠状態を示す。
【００２５】
上記方法は、上記無線ネットワークノードが、現行の動作状態を考慮して、判定した動作状態を示すために単独での送信のうちの１つを使用できる場合に、単独での送信のうちの１つを選択し、そうではない場合に、共時的な送信を選択すること、を含む。上記方法の同じ又は他の実施形態において、各単独での送信は、第１のインジケータ及び第２のインジケータのうちの一方を、第１のインジケータ及び第２のインジケータの定義された時間的又は論理的な関係に従って第１のインジケータ及び第２のインジケータのうちの他方を送信することなく送信すること、を含む。第１のインジケータ及び第２のインジケータの共時的な送信は、第１のインジケータ及び第２のインジケータを、第１のインジケータ及び第２のインジケータの定義された時間的又は論理的な関係に従って送信すること、を含む。あらためていうと、全てのこうした送信は、単一のセルに関して行われてもよく、又は、デバイスのサービングセルとしての使用のために構成されたセルのセットのうちの各セルに関して行われてもよい。例えば、無線ネットワークノードは、セルの各々について単一ビットのインジケータを含む１つのメッセージを送信し、又は、各セルについての単一ビットのインジケータのペアリングを含む１つのメッセージを送信する。
【００２６】
対応する装置の例において、無線ネットワークノードは、ワイヤレス通信ネットワークにおける動作のために構成され、ワイヤレス通信デバイスとワイヤレスに通信するために構成される通信回路と、上記通信回路に動作可能に関連付けられる処理回路と、を含む。上記処理回路は、ネットワーク内のサービングセルの動作状態が上記デバイスについてどうあるべきかを判定する、ように構成され、動作状態は、アクティブ化状態、非アクティブ化状態及び休眠状態のうちのいずれか１つであり得る。さらに、上記処理回路は、第１のインジケータの単独での送信、第２のインジケータの単独での送信、又は双方のインジケータの共時的な送信のうちで選択を行うことにより、判定した動作状態を上記デバイスへ示すために使用すべきシグナリングメカニズムを選択し、選択したシグナリングメカニズムを用いて、判定した動作状態を上記デバイスへ示す、ように構成される。
【００２７】
双方のインジケータの共時的な送信について、第１のインジケータ及び第２のインジケータの値の第１の組合せが非アクティブ化状態を示し、第２の組合せがアクティブ化状態を示し、第３の組合せが休眠状態を示す。第１のインジケータの単独での送信について、第１の値は非アクティブ化状態を示し、現行の動作状態が休眠状態又はアクティブ化状態であるならば第２の値が動作状態の変更なしを示し、現行の動作状態が非アクティブ化状態であるならば第２の値がアクティブ化状態を示す。第２のインジケータの単独での送信について、現行の動作状態が休眠状態であるならば第１の値がアクティブ化状態を示し、現行の動作状態が休眠状態ではないならば第１の値が動作状態の変更なしを示し、第２の値は休眠状態を示す。
【００２８】
当然ながら、本開示は、上の特徴及び利点には限定されない。実際、当業者は、以下の詳細な説明を読み、添付図面を見た後に、追加的な特徴及び利点を認識するであろう。
【図面の簡単な説明】
【００２９】
【図１】５つの２０ＭＨｚキャリア−"セル"という−の統合によって１００ＭＨｚという統合帯域幅が提供される、例示的なキャリアアグリゲーション（ＣＡ）構成の図である。
【図２】デバイスにより各セルを"アクティブ化"として扱うべきか又は"非アクティブ化"として扱うべきかを関係するワイヤレス通信デバイスへ示す際の無線ネットワークノードによる使用のための、ＣＡ構成におけるサービングセルごとに単一ビットのインジケータを提供する、既知のメディアアクセス（ＭＡＣ）制御エレメント（ＣＥ）の図である。
【図３】デバイスにより各セルを"アクティブ化"として扱うべきか、"非アクティブ化"として扱うべきか又は"休眠"として扱うべきかを示すための、ワイヤレス通信デバイスのＣＡ構成におけるサービングセルごとに２ビットを使用する既知のＭＡＣ  ＣＥの図である。
【図４】ここで意図される実施形態の１つ以上に従って構成される無線ネットワークノードを含む、ワイヤレス通信ネットワークの１つの実施形態のブロック図である。
【図５】ここで意図される実施形態の１つ以上に係るワイヤレス通信デバイスにより実行される方法の１つの実施形態のロジックフロー図である。
【図５ａ】ここで意図される実施形態の１つ以上に係るワイヤレス通信デバイスにより実行される方法の他の又はより詳細な実施形態のロジックフロー図である。
【図６】ここで意図される実施形態の１つ以上に係る無線ネットワークノードにより実行される方法の１つの実施形態のロジックフロー図である。
【図６ａ】ここで意図される実施形態の１つ以上に係る無線ネットワークノードにより実行される方法の他の又はより詳細な実施形態のロジックフロー図である。
【図７】図５及び／又は図５ａの方法を実行し得るワイヤレス通信デバイスの例示的な実施形態のブロック図である。
【図８】図６及び／又は図６ａの方法を実行し得る無線ネットワークノードの例示的な実施形態のブロック図である。
【図９】ワイヤレス通信ネットワーク、及び、当該ワイヤレス通信ネットワークを介してワイヤレス通信デバイスとデータを交換するように構成されるホストコンピュータの他の実施形態のブロック図である。
【図１０】図９で紹介したワイヤレス通信デバイス、無線ネットワークノード及びホストコンピュータの例示的な実施形態を示すブロック図である。
【図１１】図１１〜図１４は、図９に示したワイヤレス通信デバイス、無線ネットワークノード及びホストコンピュータについてのそれぞれの動作方法の多様な実施形態を示すロジックフロー図である。
【図１２】図１１〜図１４は、図９に示したワイヤレス通信デバイス、無線ネットワークノード及びホストコンピュータについてのそれぞれの動作方法の多様な実施形態を示すロジックフロー図である。
【図１３】図１１〜図１４は、図９に示したワイヤレス通信デバイス、無線ネットワークノード及びホストコンピュータについてのそれぞれの動作方法の多様な実施形態を示すロジックフロー図である。
【図１４】図１１〜図１４は、図９に示したワイヤレス通信デバイス、無線ネットワークノード及びホストコンピュータについてのそれぞれの動作方法の多様な実施形態を示すロジックフロー図である。
【発明を実施するための形態】
【００３０】
以下の例示的な実施形態の１つ以上は、アクティブ化／非アクティブ化という２状態の制御のために使用されるレガシーのＭＡＣ  ＣＥの用法との互換性を保ちながら、アクティブ化、非アクティブ化及び休眠というワイヤレス通信デバイス向けのセルの３状態の最大限の制御を提供する。即ち、他の利点のなかでもとりわけ、ここで説明される例示的な方法及び装置は所与のワイヤレス通信デバイスのサービングセルをアクティブ化状態と非アクティブ化状態との間で動かすためのレガシーのＭＡＣ  ＣＥの使用を提供すると共に、当該セルを休眠状態との間で動かすためのさらなるＭＡＣ  ＣＥの使用を提供する。そうしたアプローチは、既存の及び開発中の４Ｇ及び５Ｇのネットワーク標準に対する変更を要しないか又は些細な調整を要するのみであり、よって実装の労力とコストとを節約する。
【００３１】
ここでの実施形態は、概してワイヤレス通信ネットワークに関連する。図４は、ワイヤレス通信ネットワーク１００を描いた概略図である。ワイヤレス通信ネットワーク１００は、１つ以上のＲＡＮと１つ以上のコアネットワーク（ＣＮ）とを含む。ワイヤレス通信ネットワーク１００は、あり得る若干の実装例を挙げるだけでも、Ｗｉ−Ｆｉ、ＬＴＥ（Long Term Evolution）、ＬＴＥアドバンスト、５Ｇ新無線（New Radio）、ＷＣＤＭＡ（Wideband Code Division Multiple Access）、ＧＳＭ／ＥＤＧＥ（Global System for Mobile communications/Enhanced Data rate for GSM Evolution）、ＷｉＭＡＸ（Worldwide Interoperability for Microwave Access）、又はＵＭＢ（Ultra Mobile Broadband）といった異なるいくつかの技術を使用してよい。ここでの実施形態は、５Ｇの文脈における最近の技術トレンドに関連する。しかしながら、実施形態の少なくともいくつかは、例えばＷＣＤＭＡ及びＬＴＥといった旧型のワイヤレス通信システムのさらなる発展版にも適用可能である。
【００３２】
ワイヤレス通信ネットワーク１００において、ワイヤレス通信デバイス１２０は、１つ以上のアクセスネットワーク（ＡＮ）、例えばＲＡＮを介して、１つ以上のコアネットワーク（ＣＮ）と通信する。当業者により理解されるされるべきこととして、"ワイヤレス通信デバイス"とは、例えばスマートフォン、ラップトップ、モバイルフォン、センサ、リレー、モバイルタブレット、又は、ネットワーク１００の１つ以上のセル内で通信するスモール基地局であってさえよく、何らかの端末、ワイヤレス通信端末、ユーザ機器、マシンタイプ通信（ＭＴＣ）デバイス、又はデバイスツーデバイス（Ｄ２Ｄ）端末若しくはノードを意味する非限定的な用語である。また、図１に示した例示的なワイヤレス通信デバイス１２０は、"デバイス１２０"、又は"ユーザ機器１２０"若しくは"ＵＥ１２０"として言及されてもよい。多様な３ＧＰＰ規格において、"ユーザ機器"及び"ＵＥ"との用語が、関係する３ＧＰＰ  ＲＡＮの無線ネットワークノードと通信するように構成されるワイヤレス通信デバイスに言及するために使用されているものの、それら用語はここでは広い意味を有するものとして理解されるべきである。よって、"ＵＥ"又は"デバイス"は、ワイヤレス通信ネットワーク１００の無線ネットワークノードと通信するように構成される任意のワイヤレス通信装置をいう。
【００３３】
ワイヤレス通信ネットワーク１００は、サービスエリア１１として言及される少なくとも１つの対応する地理的エリアにわたり無線カバレッジを提供する少なくとも１つの無線ネットワークノード１１０を含む。サービングエリア１１は、静的であっても動的であってもよく、ビームフォーミングを用いて"形成"されてもよく、例えば、５Ｇ、ＬＴＥ、Ｗｉ−Ｆｉなどといった無線アクセス技術（ＲＡＴ）の１つ以上の送信ビーム若しくは受信ビーム、又はビームグループに対応してもよい。本開示は、所与のサービスエリア１１にわたり又はその中で通信サービスを提供するための、何らかの無線リソース、例えば時間／周波数リソースの使用又は割当てを広く含意するために、"セル"との用語を使用しており、そうしたリソースは個別の無線周波数（ＲＦ）キャリア内に含まれ得ることが理解されるべきである。そのため、"キャリア"、"セル"及び"ビーム"又は"ビームグループ"との用語は全て、別段の注記のない限り、所与の１つ又は複数のサービスエリアに互換可能に言及するために使用され得る。
【００３４】
便宜上、"セル１１"との用語もここで使用される。さらに、所与の地理的位置が、１つのセル１１によりカバーされてもよく、又は、例えば２つ以上のセルの無線カバレッジがその地理的位置で重複する形で、２つ以上のセル１１によりカバーされてもよい。
【００３５】
例示的な実施形態において、無線ネットワークノード１１０は、ＮＧ（Next Generation）ノード、即ち、５Ｇネットワークの動作のために意図されたＮＲインタフェースを使用するように構成されるノードである。広くいうと、無線ネットワークノード１１０は、送受信ポイント、基地局、ＷＬＡＮ（Wireless Local Area Network）アクセスポイント若しくはＡＰＳＴＡ（Access Point Station）といった無線アクセスネットワークノード、アクセスコントローラ、基地送受信局、ＲＲＵ(radio remote unit）、基地局ルータ、無線基地局の送信配置、スタンドアローンアクセスポイント、又は、無線ネットワークノード１１０により実装されるエアインタフェースに従ってネットワークノード１１０によりサービスされるサービスエリア１１内でワイヤレスデバイスと通信可能な任意の他のネットワークユニットとして動作してよい。
【００３６】
無線ネットワークノード１１０は、例えば複数のビームを提供し又は無線スペクトルにおいて相異なる周波数位置を占める複数のキャリアを用いることにより、複数のセルを提供してもよく、又は、図示した無線ネットワークノード１１０により提供されるセルに地理的なカバレッジエリアの観点で重複し若しくは隣接するセルを提供する１つ以上の隣接無線ネットワークノードが存在してもよい。詳細に関わらず、認識されるであろうこととして、所与の地理的なロケーションにいるＵＥ１２０は、１つよりも多くのセルに関して十分な信号強度又は品質を経験し、よって１つよりも多くのセルからサービス可能であるかもしれない。ＵＥ１２０へサービスするために構成されるセルを提供するどの無線ネットワークノードも、ＵＥ１２０についての"サービングノード"として言及されてよい。理解されるであろうこととして、無線ネットワークノード１１０は、ＵＥ１２０へのダウンリンク（ＤＬ）送信と、ＵＥ１２０からのアップリンク（ＵＬ）送信とを介して、ＵＥ１２０と通信する。ＣＮでは、１つ以上のコアネットワークノード１３０が動作し、ＵＥ１２０との通信をサポートする。
【００３７】
ここで開示される多様な方法ベースの実施形態の１つ以上は、無線ネットワークノード１１０又はコアネットワークノード１３０により実行され得る。代替手段として、例えば図１に示したようなクラウド１４０に含まれる、分散ノード（ＤＮ）及び機能性が、意図されるネットワーク側の動作を実行し又は部分的に実行するために使用されてもよい。例えば、ＵＥ１２０と通信するために使用されるＭＡＣレイヤがクラウド１４０内に位置する場合、ここで説明されるネットワーク側の動作のうちの全て又はいくつかが、クラウド１４０内に実装されてもよい。
【００３８】
ここでの専門用語に関するさらなるポイントとして、"サービングセル"との用語は、ＵＥ１２０が使用するように構成されたネットワーク１００内のセルを表す。即ち、所与のセルは、あるＵＥ１２０に関して"サービングセル"であるが他のＵＥ１２０に関してそうではなくてもよい。そのうえ、所与のセルが"サービングセル"として言及され得るものの、"サービングセル"であると見なすためにアクティブ化状態である必要はない。例えば、１つのＰＣｅｌｌ及び１つ以上のＳＣｅｌｌを含むキャリアアグリゲーション（ＣＡ）構成を有するＵＥ１２０について、ＵＥ１２０について常に"アクティブ化"されているＰＣｅｌｌはサービングセルであり、ＳＣｅｌｌの各々も、ＵＥ１２０について"アクティブ化"状態であるかに関わらずサービングセルである。
【００３９】
ここでの実施形態によれば、２つのタイプのＭＡＣ  ＣＥが存在してよく、例えば第１のタイプとしてレガシーＭＡＣ  ＣＥ、第２のタイプとして"休眠用（dormancy）"ＭＡＣ  ＣＥである。双方のタイプのＭＡＣ  ＣＥが同一のフォーマットを有してもよく、例えば、ＵＥ１２０向けの状態制御の対象である各セルについて単一ビットの状態インジケータなどである。レガシーＭＡＣ  ＣＥは、"単独で（singularly）"送信される場合、３ＧＰＰ  ＴＳ３６．３２１  Ｖ１５．０．０のセクション６．１．３．８に見られる状態の詳細に大部分適合した形で、ＵＥ１２０についてアクティブ化状態と非アクティブ化状態との間で個別のセルを動かすために使用され得る。休眠用ＭＡＣ  ＣＥは、"単独で"送信される場合、ＵＥについて休眠状態との間で個別のセルを動かすために使用され得る。これら２つの制御方式は、ＵＥ１２０が有利なシーケンシャルロジックでの制御方式を実装することに依存し、それにより、レガシーのＭＡＣ  ＣＥは、サービングセルのその時点の状態に依存するそれぞれのセルについてのアクティブ化／非アクティブ化の制御として解釈され、休眠用ＭＡＣ  ＣＥはサービングセルのその時点の状態に依存するそれぞれのセルについての休眠制御として解釈される。
【００４０】
一方で、レガシー及び休眠用ＭＡＣ  ＣＥが、例えば時間的に近くで共に送信され又は同じメッセージ内に多重化されるなどして、共時的に（jointly）送信される場合、ＵＥ１２０は、その時点のセルの状態には依存しない定義された組合せ上のロジックに従って、それら２つのＭＡＣ  ＣＥを併せて解釈する。即ち、併せて行う解釈の下では、ＵＥ１２０は、レガシーＭＡＣ  ＣＥにおけるセルＣｉについてのビットインジケータを、休眠用ＭＡＣ  ＣＥに含まれる同じｉ番目のセルについてのビットインジケータと併せて解釈する。そのようにして、意図される配置は、無線ネットワークノード１２０が、ＵＥ１２０の１つ以上のサービングセルの各々についての単一ビットのアクティブ化／非アクティブ化状態のインジケータを含む単独での送信としてレガシーＭＡＣ  ＣＥを送信し、若しくは、ＵＥ１２０の１つ以上のサービングセルの各々についての単一ビットの休眠用インジケータを含む単独での送信として休眠用ＭＡＣ  ＣＥを送信し、又は、２つのＭＡＣ  ＣＥの対応するセル別状態インジケータがビット値の組合せとして解釈されるように、双方のタイプのＭＡＣ  ＣＥを共時的に送信すること、を可能にする。
【００４１】
少なくとも、所与のＵＥ１２０のサービングセルがＵＥ１２０について１つ以上の現行の状態のうちのいずれかである場合、それらセルの所望のアクティブ化／非アクティブ化状態を、レガシーＭＡＣ  ＣＥの単独での送信を用いて設定することができる。同様に、少なくとも、サービングセルがＵＥ１２０について１つ以上の現行の状態のうちのいずれかである場合、所望の休眠状態−休眠又は非休眠−を、休眠用ＭＡＣ  ＣＥの単独での送信を用いて設定することができる。レガシーＭＡＣ  ＣＥ又は休眠用ＭＡＣ  ＣＥのいずれかの単独の送信に関連付けられる状態依存のシーケンシャルなロジックではＵＥ１２０についての所望の次の状態へサービングセルのいずれかが遷移できない場合に限り、無線ネットワークノード１１０は、レガシーＭＡＣ  ＣＥ及び休眠用ＭＡＣ  ＣＥの共時的な送信を行うことができ、それらに従って、ＵＥ１２０は、２つのＭＡＣ  ＣＥ内のセルごとのインジケータを結合した値として併せて解釈し、各結合した値は、セルのその時点の動作状態に関わらず、ＵＥ１２０について対応するサービングセルの動作状態がどうあるべきかを示す。
【００４２】
例えば、レガシーＭＡＣ  ＣＥ及び休眠用ＭＡＣ  ＣＥの各々は、一組のビット位置又はビットマップを含み、各位置を使用して搬送されるビット値が、対応するセル又はセルインデックスについてのインジケータとして働く。各サービングセル−又は少なくともＵＥ１２０のＣＡ構成内の各ＳＣｅｌｌ−は、ビット位置のうちのそれぞれ１つにより制御される。この意味において、レガシーＭＡＣ  ＣＥを、ＵＥ１２０についての状態制御の対象である各セルについて"第１のインジケータ"を搬送するものとして理解し、休眠用ＭＡＣ  ＣＥはそうした各セルについて"第２のインジケータ"を搬送するものとして理解することができる。ＵＥ１２０は、レガシーＭＡＣ  ＣＥを単独での送信として受信すると、レガシーＭＡＣ  ＣＥの単独での受信のためにＵＥ１２０内に定義されているシーケンシャルなロジックに従って、包含されている各第１のインジケータを解釈する。ＵＥ１２０は、休眠用ＭＡＣ  ＣＥを単独での送信として受信すると、休眠用ＭＡＣ  ＣＥの単独での受信のためにＵＥ１２０内に定義されているシーケンシャルなロジックに従って、包含されている各第２のインジケータを解釈する。ＵＥ１２０は、レガシーＭＡＣ  ＣＥ及び休眠用ＭＡＣ  ＣＥを共時的に受信すると、レガシーＭＡＣ  ＣＥ内の所与のセルについてのビット値及び休眠用ＭＡＣ  ＣＥ内の同じ所与のセルについてのビット値とを、併せて組合せ値として解釈する。
【００４３】
なお、"レガシーＭＡＣ  ＣＥ"への言及、例えばレガシーＭＡＣ  ＣＥが送信され又は受信されるという言い回しは、無線ネットワークノード１１０及び／又はＵＥ１２０が過去の用例に従って当てはまるように厳密にレガシーＭＡＣ  ＣＥを使用し、解釈し又は適用することを意味しない。即ち、本開示の文脈において、レガシーＭＡＣ  ＣＥは、所与のＵＥ１２０について所望のセル状態の制御を達成するために単独で使用できる期間中に使用され得る。任意の所与の時点において、所望のセル状態の制御を遂行するためにレガシーＭＡＣ  ＣＥを使用できるか否かは、無線ネットワークノード１１０により決定されるセル状態遷移と、ＵＥ１２０について状態制御されているサービングセルの現行の状態とに依存する。同様に、任意の所与の時点において、所望のセル状態の制御を遂行するために休眠用ＭＡＣ  ＣＥを使用できるか否かは、無線ネットワークノード１１０により決定されるセル状態遷移と、ＵＥ１２０について状態制御されているサービングセルの現行の状態とに依存する。
【００４４】
レガシーＭＡＣ  ＣＥ又は休眠用ＭＡＣ  ＣＥのいずれかの単独での送信によりセル状態の制御を達成できない場合、無線ネットワークノード１１０は、各ＣＥ内のそれぞれの（同じセルの）ビットを組合せ値として伴うレガシー及びＭＡＣ  ＣＥの共時的な送信を実行し、それが状態制御の対象であるサービングセルごとにそのデバイスについてセル状態がどうあるべきかを示す。例えば、ＵＥ１２０がレガシーＭＡＣ  ＣＥといった第１のＭＡＣ  ＣＥ及び休眠用ＭＡＣ  ＣＥといった第２のＭＡＣ  ＣＥを受信するシナリオにおいて、第１のＭＡＣ  ＣＥがサービングセルについて１を含み第２のＭＡＣ  ＣＥがサービングセルについて１を示す場合、ＵＥ１２０は、サービングセルを休眠状態へ移行する。第１のＭＡＣ  ＣＥがサービングセルについて１を含み第２のＭＡＣ  ＣＥがサービングセルについて０を示す場合、ＵＥ１２０は、サービングセルをアクティブ化状態へ移行する。第１のＭＡＣ  ＣＥがサービングセルについて０を含み第２のＭＡＣ  ＣＥがサービングセルについて１を示す場合、又は、第１のＭＡＣ  ＣＥがサービングセルについて０を含み第２のＭＡＣ  ＣＥがサービングセルについて０を示す場合、ＵＥ１２０は、サービングセルを非アクティブ化状態へ移行する。
【００４５】
インジケーションの受信に応じてＵＥ１２０により取られるあり得る状態依存のアクションのなかでも、ＵＥ１２０は、サービングセルがアクティブ化状態にある場合、休眠用ＭＡＣ  ＣＥ内のサービングセルについてのインジケーションを考慮するのみであってもよい。例えば、ＵＥ１２０は、ＵＥ１２０についてアクティブ化されている各サービングセルについて休眠用ＭＡＣ  ＣＥといった第２のＭＡＣ  ＣＥを単独の送信で受信した場合において、第２のＭＡＣ  ＣＥがサービングセルのうちの所与の１つについて１を示すときには、ＵＥ１２０はセルを休眠状態へ移行させ、第２のＭＡＣ  ＣＥがその所与のサービングセルについて０を示すときには、ＵＥ１２０はセルをアクティブ化状態へ移行する。
【００４６】
ＵＥ１２０におけるセル状態インジケータの履歴依存の復号（解釈）に関係するここでのさらなる実施形態によれば、ＵＥ１２０は、メッセージを受信し、そのメッセージはあるサービングセルについての第１及び第２の値を示し得る。第１の値が示された場合、ＵＥ１２０はサービングセルを第１の状態へ移行するが、第２の値が示された場合、ＵＥ１２０はサービングセルを第２の状態か又は第３の状態かのいずれかへ移行する。ＵＥ１２０がサービングセルを移行する先が第２の状態か第３の状態かは、第１の状態へ移行するに先立ってセルの状態がどうであったかに依存し得る。
【００４７】
例えば、あるタイプのＭＡＣ  ＣＥが単独で受信され、あるセルについてそれが第１の値（例えば、"１"という値）を示している場合、ＵＥ１２０は、セルが休眠状態へ移行されるべきであることを示すものとして、その値を解釈する。そのＭＡＣ  ＣＥがあるセルについて第２の値（例えば、０）を示す場合、それはセルが休眠状態から他へ移行されるべきであることを意味し、ＵＥ１２０は、セルをアクティブ化状態か又は非アクティブ化状態かのいずれかへ移行させ、それら状態のうちのどちらがＵＥ１２０によるセルの移行先となるかは、休眠状態の前にセルががどちらの状態であったかに依存し得る。例えば、休眠状態に入る前にセルがアクティブ化状態であった場合、ＵＥ１２０は、セルをアクティブ化状態へ移行させ、一方で、休眠状態に入る前セルがに非アクティブ化状態であった場合、ＵＥ１２０は、セルを非アクティブ化状態へ移行する。
【００４８】
広くいうと、１つ以上の実施形態において、ＵＥ１２０は、休眠状態に入る前にサービングセルがどの状態であったかを記憶する。１つの例示的な実施形態において、ＵＥ１２０は、単独の送信として休眠状態ＭＡＣ  ＣＥを受信し、サービングセルについてのビットが"１"である場合において、サービングセルがその時点で休眠状態以外の状態、例えばアクティブ化状態又は非アクティブ化状態にあるときに、サービングセルを休眠状態へ移行する。一方で、ＵＥ１２０は、サービングセルのその時点の状態が休眠状態であるときは、サービングセルについて状態変更を行わない。ＵＥが単独の送信として休眠状態ＭＡＣ  ＣＥを受信し、所与のサービングセルについて含まれるビットが"０"である場合において、サービングセルがその時点で休眠状態以外の状態、例えばアクティブ化状態又は非アクティブ化状態にあるときに、ＵＥ１２０は、サービングセルについて状態変更を行わない。一方で、サービングセルがその時点で休眠状態にあり、休眠状態に入る前にサービングセルが非アクティブ化状態であったときは、ＵＥ１２０は、セルを非アクティブ化状態へ移行する。休眠状態に入る前にサービングセルがアクティブ化状態であったときは、ＵＥ１２０は、セルを非アクティブ化状態へ移行する。
【００４９】
なお、ＵＥ１２０がサービングセルに関して状態変更を開始しない場合であっても、ＵＥ１２０は、セルの状態に関連する他のアクション、例えばタイマの開始／再開などを行ってもよい。よって、サービングセルについて状態変更をもたらさない無線ネットワークノード１１０からのシグナリングは、それでも、そのセルに関するＵＥ１２０の動作にとって必要であり又は有用であり得る。より具体的には、ＵＥ１２０の１つ以上の実施形態において、ＳＣｅｌｌについての第１又は第２のインジケータの単独での受信がＵＥ１２０により当該ＳＣｅｌｌの現行の状態の変更なしを表すものとして解釈される例では、ＵＥは、そのインジケータの受信時に、当該ＳＣｅｌｌについての何らかのタイマの開始若しくは再開、当該ＳＣｅｌｌについての何らかのレポーティングのトリガなどといった、１つ以上のアクションをトリガしてもよい。例えば、ＵＥ１２０は、アクティブ化状態に既になっているＳＣｅｌｌについて"１"に設定された第１のインジケータを受信すると、当該ＳＣｅｌｌについてセル非アクティブ化タイマを開始／再開し、及び／又は、当該ＳＣｅｌｌについての１つ以上のレポートをトリガする。
【００５０】
無線ネットワークノード１１０は、ＵＥ１２０についてサービングセルを休眠状態へ移行することを望む場合、そのサービングセルについての制御ビットを"１"とした休眠用ＭＡＣ  ＣＥを単独での送信として送信してもよい。そのセルが休眠状態にあり、休眠状態に入る前にアクティブ化状態であった場合、無線ネットワークノード１１０は、休眠用ＭＡＣ  ＣＥの単独での送信において０を示す休眠用ＭＡＣ  ＣＥを送信することにより、ＵＥ１２０にセルをアクティブ化状態へ移させてもよい。ｅＮＢは、セルを非アクティブ化状態へ移行することを望む場合、セルが非アクティブ化状態へ移行されるべきであることを示すために、そのセルについて０を示すアクティブ化／非アクティブ化ＭＡＣ  ＣＥを送信してもよい。代替的に、ｅＮＢは、０を示す休眠用ＭＡＣ  ＣＥをまず送信することにより、セルをアクティブ化状態へ移させ、その後で、無線ネットワークノードは、アクティブ化／非アクティブ化ＭＡＣ  ＣＥを用いてセルを非アクティブ化状態へ移させてもよい。
【００５１】
さらなる実施形態によれば、単一方向の休眠用ＭＡＣ  ＣＥでの遷移について、ＵＥ１２０は、休眠状態遷移のためのＭＡＣ  ＣＥ、即ち休眠用ＭＡＣ  ＣＥを受信し、当該ＭＡＣ  ＣＥが例えば１といった第１の値を示す場合には、対応するセルを休眠状態へ移行する一方で、例えば０といった第２の値が示される場合には、アクションを行わなくてもよい。休眠状態からセルを移行するために、例えば追加的なＭＡＣ  ＣＥといった他のタイプのインジケーションが使用されてもよい。例えば、アクティブ化／非アクティブ化ＭＡＣ  ＣＥを、休眠状態からアクティブ化状態へ、及び非アクティブ化状態へ移行するために使用してもよい。
【００５２】
一実施例において、ＵＥ１２０は、ＭＡＣ  ＣＥを受信した場合において、ＭＡＣ  ＣＥがサービングセルについて値１を示すときに、セルを休眠状態へ移し、そうでないときに、セル状態を変更しない。
【００５３】
無線ネットワークノード１１０は、セルを休眠状態へ移させることを望む場合、例えば当該セルに関連付けられるビットを１に設定することによるなどして、当該セルが休眠状態へ移行されるべきであることを示すＭＡＣ  ＣＥを送信してもよい。一方で、セルが休眠状態からアクティブ化状態又は非アクティブ化状態へ移行されるべきである場合、無線ネットワークノード１１０は、セルが（例えば、セルに対応するビットを値１に設定することにより）アクティブ化され又は（例えば、セルに対応するビットを値０に設定することにより）セルが非アクティブ化されるべきであることを示す他のタイプのＭＡＣ  ＣＥを送信してもよい。
【００５４】
図５は、例えば、ワイヤレス通信ネットワーク１００において統合キャリアに含まれ得るセルの例えばアクティブ化、非アクティブ化及び／又は休眠状態といった状態を制御するための、端末における、例えばＵＥ１２０などにおける例示的な方法を示している。
【００５５】
以下では、ここでの実施形態に係る方法のステップ群がより詳細に説明されるであろう。
【００５６】
＜アクション３０１＞
端末は、セルがアクティブ化状態又は非アクティブ化状態へ移行されるべきであり、現在その状態にあり、又はその状態となっていることを示す第１のインジケーションを取得する。
【００５７】
１つの実施形態において、第１のインジケーションは、例えばｅＮＢ１１０といったネットワークノードから第１のメディアアクセス制御エレメント（ＭＡＣ  ＣＥ）を受信することにより取得されてもよい。第１のＭＡＣ  ＣＥは、セルがアクティブ化状態又は非アクティブ化状態へ移行されるべきであることを示す第１のインジケーションを含む。
【００５８】
１つの実施形態において、第１のインジケーションは、そのセルの現行の状態を読み出すことにより取得されてもよい。端末は、セルの現行の状態を認識しており、及び／又は、例えばメモリなどの例えばストレージから、第１のインジケーションを読み出してもよい。
【００５９】
１つの実施形態において、第１のインジケーションは、そのセルの現行の状態を読み出し、及びそのセルが該当していた過去の状態を読み出すことにより、取得されてもよい。端末は、セルの現行の状態及び／若しくは過去の状態を認識しており、並びに／又は、例えばメモリなどのストレージから、現行の状態及び／若しくは過去の状態を読み出してもよい。
【００６０】
＜アクション３０２＞
端末は、セルが休眠状態又は非休眠状態へ移行されるべきかを示す第２のインジケーションを受信する。第２のインジケーションは、例えばｅＮＢ（１１０）といったネットワークノードから、例えばＭＡＣ  ＣＥ内で受信されてもよい。
【００６１】
＜アクション３０３＞
端末は、第１及び第２のインジケーションに基づいて、セルの状態を判定する。
【００６２】
端末は、ネットワークノードから第１のインジケーションを受信した場合、第１のインジケーションがアクティブ化状態を示し且つ第２のインジケーションが非休眠状態を示すならば、セルの状態はアクティブ化状態であるべきであり、第１のインジケーションがアクティブ化状態を示し且つ第２のインジケーションが休眠状態を示すならば、休眠状態であるべきであり、第１のインジケーションが非アクティブ化状態を示し且つ第２のインジケーションが休眠状態又は非休眠状態を示すならば、非アクティブ化状態であるべきであると判定し得る。
【００６３】
端末は、第１のインジケーションを読み出すことにより取得した場合、セルがその時点でアクティブ化状態であれば、第２のインジケーションに基づいてセルの状態を判定するために第２のインジケーションを使用するだけであってよい。言い換えると、セルがその時点で非アクティブ化状態にある場合、端末は、休眠状態に関連する第２のインジケーションを考慮せず、セルは非アクティブ化状態のままである。一方で、セルがアクティブ化状態にある場合、端末は、第２のインジケーションが非休眠状態を示す場合にはセルはアクティブ化状態であるべきであり、第２のインジケーションが休眠状態を示す場合にはセルは休眠状態となるべきであると判定する。
【００６４】
端末は、セルの現行の状態を読み出し及びセルが該当していた過去の状態を読み出すことにより、第１のインジケーションを取得した場合、セルが現在のところアクティブ化、非アクティブ化又は休眠状態であって、第２のインジケーションが休眠状態を示すならば、端末はセルが休眠状態であるべきと判定し得る。セルが現在のところアクティブ化状態であって、第２のインジケーションが非休眠状態を示すならば、端末はセルがアクティブ化状態であるべきとさらに判定し得る。セルが現在のところアクティブ化状態であって、第２のインジケーションが非休眠状態を示すならば、端末はセルがアクティブ化状態であるべきとさらに判定し得る。セルが現在のところアクティブ化状態であって、第２のインジケーションが非休眠状態を示すならば、端末はセルが非アクティブ化状態であるべきとさらに判定し得る。セルが現在のところ休眠状態であって、以前はアクティブ化状態であり、第２のインジケーションが非休眠状態を示すならば、端末はセルがアクティブ化状態であるべきとさらに判定し得る。セルが現在のところ休眠状態であって、以前は非アクティブ化状態であり、第２のインジケーションが非休眠状態を示すならば、端末はセルが非アクティブ化状態であるべきとさらに判定し得る。
【００６５】
＜アクション３０４＞
端末は、さらに、判定した状態へのセルの状態の変更（ここでは移行としても言及され得る）を行い得る。
【００６６】
図５ａは、ワイヤレス通信ネットワーク１００において動作している例えばＵＥ１２０であるワイヤレス通信デバイスにおける動作の方法３１０についてのさらなる例示的な詳細を示している。方法３１０は、デバイスが第１のインジケータ若しくは第２のインジケータを単独で、又は双方のインジケータを共時的に受信すること（ブロック３１２）を含む。ここでは、ワイヤレス通信ネットワーク１００内の無線ネットワークノード１１０は、当該ネットワーク１００内のサービングセルに関し動作状態がデバイスについてどうあるべきかを示すために、第１のインジケータ及び第２のインジケータを使用する。動作状態は、アクティブ化状態、非アクティブ化状態及び休眠状態のうちのいずれか１つであることができる。
【００６７】
認識されるべきこととして、第１のインジケータ若しくは第２のインジケータを単独で、又は第１のインジケータ及び第２のインジケータを共時的に受信する、という上の言及は、セルごとの視点で捉えたものである。即ち、デバイスは、状態制御の対象であるデバイスのサービングセル群、例えばデバイスのＣＡ構成においてその時点で構成されているＳＣｅｌｌの全て、のうちの各１つに各々が対応する複数の第１のインジケータの単独での送信を受信してもよい。同様に、デバイスは、状態制御の対象であるデバイスのサービングセル群のうちの各１つに各々が対応する複数の第２のインジケータの単独での送信を受信してもよい。あるいは、デバイスは、第１のインジケータ及び第２のインジケータを共時的に受信してもよく、各第１のインジケータは、デバイスのサービングセル群のうちの各１つへマッピングされるビット位置又は他の論理的な構造を有し、各第２のインジケータは、サービングセル群ののうちの各１つへ同様にマッピングされ、同じセルへマッピングされる第１のインジケータ及び第２のインジケータが組合せペアを形成する。
【００６８】
例示の手法により、第１のインジケータは、前述したレガシーＭＡＣ  ＣＥのように構造化されたＭＡＣ  ＣＥにおいて搬送され、即ち、それは、各ビットフィールドがデバイスのサービングセル群のうちの各１つについての１ビットのインジケータである、単一ビットのフィールド群のビットマップである。さらなる例として、第２のインジケータは、前述した休眠用ＭＡＣ  ＣＥのように構造化されたＭＡＣ  ＣＥにおいて搬送され、各ビットフィールドがデバイスのサービングセル群のうちの各１つについての１ビットのインジケータである。よって、デバイスにおけるレガシーＭＡＣ  ＣＥの単独での受信は、アクティブ化／非アクティブ化の制御として作用し、但しそれはその時点のセルの状態に依存する。同様に、デバイスにおける休眠用ＭＡＣ  ＣＥの単独での受信は、休眠制御として作用し、但しそれはその時点のセルの状態に依存する。デバイス向けに制御されている全てのセルについての所望の状態遷移がレガシーＭＡＣ  ＣＥか又は休眠用ＭＡＣ  ＣＥかのいずれかの単独での送信を介して達成できない場合、無線ネットワークノード１１０は、２つのＭＡＣ  ＣＥの共時的な送信を実行し、その場合、２つのＭＡＣ  ＣＥからのそれぞれのビットペアの組合せ値が、セルの現行の状態に関わらず、デバイスに、当該デバイスについて対応するセルの動作状態がどのようにあるべきかを知らせる。
【００６９】
対応する関連のある詳細のために方法３１０に戻ると、方法３１０は、示された動作状態をデバイスが判定すること（ブロック３１４）を含み、（ａ）第１のインジケータ及び第２のインジケータを共時的に受信すると（ブロック３１４ａ）、第１のインジケータ及び第２のインジケータが併せて値の組合せとして解釈され、当該解釈に従って、第１の組合せが非アクティブ化状態を示し、第２の組合せがアクティブ化状態を示し、第３の組合せが休眠状態を示し、（ｂ）第１のインジケータを単独で受信すると（ブロック３１４ｂ）、第１のインジケータの第１の値は非アクティブ化状態を示すものとして解釈され、現行の動作状態が休眠状態又はアクティブ化状態であるならば第１のインジケータの第２の値が動作状態の変更なしを示すものとして解釈され、現行の動作状態が非アクティブ化状態であるならば第１のインジケータの第２の値がアクティブ化状態を示すものとして解釈され、（ｃ）第２のインジケータを単独で受信すると（ブロック３１４ｃ）、現行の動作状態が休眠状態であるならば第２のインジケータの第１の値がアクティブ化状態を示すものとして解釈され、現行の動作状態が休眠状態ではないならば第２のインジケータの第１の値が動作状態の変更なしを示すものとして解釈され、第２のインジケータの第２の値は休眠状態を示すものとして解釈される。
【００７０】
単独で送信された第１のインジケータのデバイスによる受信を例として挙げると、１つ以上の実施形態において、デバイスは、当該デバイスのＣＡ構成に含まれるＳＣｅｌｌごとのビットフラグ又はインジケータを含むレガシーＭＡＣ  ＣＥを受信する。そうしたセルごとの各インジケータが、各セルについての"第１のインジケータ"である。"０"というフラグ又はビット値が非アクティブ化状態を示し、"１"というフラグ又はビット値がアクティブ化状態を示すものとすると、１つ以上の実施形態において、デバイスは、各セルについて、次のように対応する；デバイスは、セルの現行の状態に関わらず、"０"という値を非アクティブ化状態を示すものとして解釈し、セルの現行の状態が非アクティブ化であれば、"１"という値をアクティブ化状態を示すものとして解釈し、セルの現行の状態が休眠又はアクティブ化であれば、"１"という値を変更なしを示すものとして解釈する。
【００７１】
但し、セルについて動作状態の"変更なし"を示すものとしてインジケータを解釈することは、デバイスが当該セルに関してインジケータを無視し又はアクションをとらないことを必ずしも意味しない。例えば、セルの現行の状態がアクティブ化状態であって、そのセルの状態がアクティブ化状態であるべきことを示す第１のインジケータをデバイスが受信すると、デバイスは、非アクティブ化制御のために使用されるタイマを再開し、セルについてあるレポーティングをトリガするなどして、当該セルを実質的に"再アクティブ化"してもよい。
【００７２】
よって、デバイスのＣＡ構成内のＳＣｅｌｌのアクティブ化／非アクティブ化制御のためのレガシーＭＡＣ  ＣＥの単独での受信について、ここで意図される例示的なデバイスは、そうした各セルについてのロジックを実装するものとして理解されてよい："０"はデバイスがセルを非アクティブ化されるものとして扱うべきことを示し、"１"はセルがその時点で休眠中であれば休眠状態のままとされるべきことを示し、"１"はセルがその時点で非アクティブ化されていればアクティブ化されるべきことを示し、又は、"１"はセルがその時点でアクティブ化されていれば"再アクティブ化"されるべきことを示す。あらためていうと、再アクティブ化は、デバイスについての現行の及び次のセルの状態が共にアクティブ化状態であるという限りにおいて、セルの動作状態を変更するものではないが、デバイスによる再アクティブ化動作は、デバイスがそのセルについて当該デバイスにより使用される１つ以上のセル状態タイマを再開することを含んでもよく、及び／又は、そのセルに関する当該セルからの１つ以上のレポートをトリガしてもよい。
【００７３】
方法３１０の少なくとも１つの実装例において、第１のインジケータ及び第２のインジケータは、それぞれバイナリ変数であり、例えば、状態制御の対象であるデバイスのサービングセルのうち個別の１つに対応する１ビットのインジケータである。
【００７４】
他の例示的な詳細において、デバイスは、第１のインジケータ及び第２のインジケータの共時的な受信を、定義された時間的又は論理的な関係に従った第１のインジケータ及び第２のインジケータの受信として認識し、第１のインジケータの単独での受信を、定義された時間的又は論理的な関係に従った第２のインジケータの受信なしでの第１のインジケータの受信として認識し、第２のインジケータの単独での受信を、定義された時間的又は論理的な関係に従った第１のインジケータの受信なしでの第２のインジケータの受信として認識する。上記定義された論理的な関係は、例えば、無線ネットワークノード１１０により送信されデバイスにおいて受信される同じメッセージに第１のインジケータ及び第２のインジケータが含まれること、を含む。
【００７５】
方法３１０は、サービングセルの示された動作状態に従って、当該サービングセルに関してデバイスの動作を適応させること、をも含んでもよい。即ち、デバイスは、当該デバイスについての状態制御の対象の各サービングセルについて第１及び／又は第２のインジケータを受信し、当該セルについて受信した第１及び／又は第２のインジケータの値に基づいて、それら各セルに関する自身の動作を適応化する。
【００７６】
１つ以上の実施形態において、第１のインジケータ及び第２のインジケータの各々は、デバイスにより実行されるメディアアクセス制御（ＭＡＣ）レイヤ処理により使用されるＭＡＣ制御エレメントである。
【００７７】
図６は、ＵＥ１２０又は任意の他のデバイスについてセルの動作状態を制御するための、４Ｇ  ｅＮＢ又は５Ｇ  ｇＮＢといった無線ネットワークノード１１０における例示的な方法を示している。あらためていうと、対象のセルは、ＵＥ１２０のＣＡ構成に含まれる１つ以上のＳＣｅｌｌのセットであってよい。
【００７８】
＜アクション４０１＞
ネットワークノードは、端末についての統合キャリア内のセルの状態を変更することを決定する。ここでのセルは、１つ以上のセルとして解釈されるものとする。
【００７９】
＜アクション４０２＞
ネットワークノードは、セルが休眠状態又は非休眠状態へ移行されるべきかを示すインジケーションを、例えばＵＥ（１１０）といった端末へ送信する。このインジケーションは、アクション３０２において端末により受信される第２のインジケーションに対応する。
【００８０】
＜アクション４０３＞
ネットワークノードは、セルがアクティブ化状態又は非アクティブ化状態へ移行されるべきかを示すインジケーションをさらに送信し得る。このインジケーションは、アクション３０１ａにおいて端末により受信される第１のインジケーションに対応する。
【００８１】
図６ａは、ワイヤレス通信ネットワーク１００内の無線ネットワークノード１１０又は何らかの他のタイプのノードにより実装され得る方法４１０を描くことで、無線ネットワークノード１１０によるさらなる例示的な動作を示している。方法４１０は、ネットワーク１００内のサービングセル１１の動作状態がワイヤレス通信デバイス、例えばＵＥ１２０についてどうあるべきかを判定すること（ブロック４１２）、を含む。動作状態は、アクティブ化状態、非アクティブ化状態及び休眠状態のうちのいずれか１つであることができる。
【００８２】
方法４１０は、上記ノードが、第１のインジケータの単独での送信、第２のインジケータの単独での送信、又は双方のインジケータの共時的な送信のうちで選択を行うこと（ブロック４１４ａ）により、判定した動作状態を上記デバイスへ示すために使用すべきシグナリングメカニズムを選択すること（４１４）、をさらに含む。上記方法は、上記ノードが選択したシグナリングメカニズムを用いて、判定した動作状態を上記デバイスへ示すこと、をさらに含む。上記方法を実行するノードが無線ネットワークノード１１０である場合、上記示すステップは、例えば、無線ネットワークノード１１０が上記デバイスを対象とするダウンリンク送信を行うこと、を含む。上記方法を実行するノードがエアインタフェース上で上記デバイスと通信する無線ネットワークノードではない場合、選択されたシグナリングメカニズムを介して上記デバイスへ判定された動作状態を示すことは、例えば、無線ネットワークノード又は無線ネットワークノードに関連付けられる他のノードへコンピュータ又はネットワークインタフェースを介して開始シグナリングを送信すること、を含む。開始シグナリングは、例えば、判定された状態と選択されたシグナリングメカニズムとを示す。
【００８３】
上述したように、双方のインジケータの共時的な送信について、第１のインジケータ及び第２のインジケータの値の第１の組合せが非アクティブ化状態を示し、第２の組合せがアクティブ化状態を示し、第３の組合せが休眠状態を示し、第１のインジケータの単独での送信について、第１の値は非アクティブ化状態を示し、現行の動作状態が休眠状態又はアクティブ化状態であるならば第２の値が動作状態の変更なしを示し、現行の動作状態が非アクティブ化状態であるならば第２の値がアクティブ化状態を示し、第２のインジケータの単独での送信について、現行の動作状態が休眠状態であるならば第１の値がアクティブ化状態を示し、現行の動作状態が休眠状態ではないならば第１の値が動作状態の変更なしを示し、第２の値は休眠状態を示す。
【００８４】
選択を行う上記ステップは、現行の動作状態を考慮して、判定した動作状態を示すために単独での送信のうちの１つを使用できる場合に、単独での送信のうちの１つを選択することと、そうではない場合に、共時的な送信を選択することと、を含む。各単独での送信は、例えば、第１のインジケータ及び第２のインジケータのうちの一方を、第１のインジケータ及び第２のインジケータの定義された時間的又は論理的な関係に従って第１のインジケータ及び第２のインジケータのうちの他方を送信することなく送信すること、を含む。対応する例において、共時的な送信は、第１のインジケータ及び第２のインジケータを、第１のインジケータ及び第２のインジケータの上記定義された時間的又は論理的な関係に従って送信すること、を含む。
【００８５】
各単独での送信は、例えば、第１のインジケータ及び第２のインジケータのうちの一方を、第１のインジケータ及び第２のインジケータのうちの他方を含まないメッセージの中で送信すること、を含む。一例としての共時的な送信は、逆に、双方のインジケータを同じメッセージの中で送信すること、を含む。
【００８６】
１つ以上の実施形態において、第１のインジケータ及び第２のインジケータの各々は、上記デバイスへインジケーションを通信する無線ネットワークノードにより実行されるメディアアクセス制御（ＭＡＣ）レイヤ処理により使用されるＭＡＣ制御エレメントである。
【００８７】
図７は、ワイヤレス通信デバイス、例えばＵＥ１２０の例示的な配置を示す概略ブロック図である。図７は少なくともある適用例において有利であり得る配置を示している一方で、異なる配置に基づくＵＥもまた、図５及び／又は図５ａの方法を遂行するように構成されてもよい。広くいうと、ワイヤレス通信デバイスは、固定的な回路、プログラム的に構成された回路、又はそれらの何らかの混成を含み得る。
【００８８】
図７において、例示的なワイヤレス通信デバイスは、処理ユニット１００１を含み、処理ユニット１００１は、例えばここで開示したデバイス側の動作を遂行するように特に適合され得る。そうした機能性は、コンピュータ読取可能な媒体に記憶された１つ以上のコンピュータプログラムのコンピュータプログラム命令群として具現化されてもよい。対応する形で、デバイスは、１つ以上のタイプの記憶デバイス又は回路を含むメモリ１００２を含み得る。メモリは、例えばコンピュータプログラム１００３の形式の命令群を含み、例えば収容し又は記憶しており、コンピュータ読取可能なコードユニットを含み得る。
【００８９】
ここでのいくつかの実施形態によれば、処理ユニット１００１は、例示的なハードウェアユニットとして、処理回路１００４を含む。１つ以上の例において、処理回路１００４は、記憶済みのコンピュータ命令群の例えばメモリ１００２からの実行に基づいて、ここで開示したデバイス側の方法−例えば、図５及び／又は図５ａの方法−をデバイスに遂行させる１つ以上のプロセッサを含む。
【００９０】
上の観点において、１つの例では、デバイスについてネットワーク１００におけるセルの状態を制御する方法、即ちセルについてデバイスにより認識され又は理解されるセル状態を制御する方法を実行するためのワイヤレス通信デバイスが提供される。そうした動作は、実際上、いかなる数のセルにも、例えばデバイスのＣＡ構成に含まれるＳＣｅｌｌにも当てはまる。
【００９１】
図７は、上述したコンピュータプログラム１００３を記憶する担体１００５又はプログラムキャリアをさらに示している。
【００９２】
いくつかの実施形態において、処理ユニット１００１は、入出力ユニット１００６を含んでもよく、又はそれに関連付けられてもよい。例示的な実施形態において、入出力ユニットは、ワイヤレス通信ネットワーク１００により使用されるエアインタフェースの要件に従って信号を送受信するために構成される、例えばＲＦ回路及び関連付けられるサポート回路といったワイヤレス通信回路を含む。
【００９３】
さらなる例示的な実施形態において、デバイスの処理ユニット１００１は、図５ａの方法３１０の処理ステップ３１２を行うように構成される、受信ユニット１０１０を含むか又はそのものとして少なくとも機能的に構成される。さらには、検討したワイヤレス通信デバイスの少なくとも１つの実施形態において、処理ユニット１００１は、図５ａの方法３１０のステップ３１４を行うように構成される判定ユニット１０２０を含む。追加的に、処理ユニット１００１は、図５ａの方法３１０のステップ３１６を行うように構成される適応ユニット１０３０を含む。
【００９４】
具体的な実施形態において、Ｉ／Ｏユニット１００６を備え又はＩ／Ｏユニット１００６に含まれる通信回路は、ネットワーク１００の無線ネットワークノード１１０とワイヤレスに通信するために構成される。通信することは、第１のインジケータ若しくは第２のインジケータを単独で、又は双方のインジケータを共時的に受信することを含み、無線ネットワークノードは、ネットワーク１００内のサービングセル１１の動作状態がデバイス１２０についてどうあるべきかを示すために第１のインジケータ及び第２のインジケータを使用する。動作状態は、アクティブ化状態、非アクティブ化状態及び休眠状態のうちのいずれか１つであることができ、"サービングセル"は、デバイス１２０のＣＡ構成内のＳＣｅｌｌとして構成された１つ以上のセルのうちの１つであってよく、各ＳＣｅｌｌは、デバイス１２０に関する状態制御の対象である。
【００９５】
さらに、処理回路１００４は、通信回路１００６に動作可能に関連付けられ、示される動作状態を次のように判定するように構成され、即ち：第１のインジケータ及び第２のインジケータが共時的に受信されると、第１のインジケータ及び第２のインジケータを併せて値の組合せとして解釈し、当該解釈に従って、第１の組合せが非アクティブ化状態を示し、第２の組合せがアクティブ化状態を示し、第３の組合せが休眠状態を示し、第１のインジケータが単独で受信されると、第１のインジケータの第１の値を非アクティブ化状態を示すものとして解釈し、現行の動作状態が休眠状態又はアクティブ化状態であるならば第１のインジケータの第２の値を動作状態の変更なしを示すものとして解釈し、現行の動作状態が非アクティブ化状態であるならば第１のインジケータの第２の値をアクティブ化状態を示すものとして解釈し、第２のインジケータが単独で受信されると、現行の動作状態が休眠状態であるならば第２のインジケータの第１の値をアクティブ化状態を示すものとして解釈し、現行の動作状態が休眠状態ではないならば第２のインジケータの第１の値を動作状態の変更なしを示すものとして解釈し、第２のインジケータの第２の値を休眠状態を示すものとして解釈する。
【００９６】
前に注記したように、第１及び第２のインジケータは、それぞれバイナリ変数であってよく、デバイス１２０は、デバイス１２０についての状態制御の対象である２つ以上のセルの各々について第１のインジケータ及び／又は第２のインジケータを受信してもよい。少なくとも１つの実施形態において、処理回路１００４は、（デバイスの所与のサービングセルについての）第１のインジケータ及び第２のインジケータの共同的な受信を、定義された時間的又は論理的な関係に従った第１のインジケータ及び第２のインジケータの受信として認識し、第１のインジケータの単独での受信を、定義された時間的又は論理的な関係に従った第２のインジケータの受信なしでの第１のインジケータの受信として認識し、第２のインジケータの単独での受信を、定義された時間的又は論理的な関係に従った第１のインジケータの受信なしでの第２のインジケータの受信として認識する、ように構成される。
【００９７】
上記定義された論理的な関係は、例示的な配置において、無線ネットワークノード１１０により送信されデバイスにおいて受信される同じメッセージに第１のインジケータ及び第２のインジケータが含まれること、を含む。追加的に、１つ以上の実施形態において、第１のインジケータ及び第２のインジケータの各々は、処理回路１００４において実装されるメディアアクセス制御（ＭＡＣ）レイヤ処理により使用されるＭＡＣ制御エレメントである。即ち、第１のインジケータ及び第２のインジケータは、それぞれのＭＡＣ  ＣＥに含まれ−その中で移送され得る。第１のタイプのＭＡＣ  ＣＥ、例えば前述したレガシーＭＡＣ  ＣＥは、状態制御の対象であるサービングセルの各々について第１のインジケータを移送し、一方で第２のタイプのＭＡＣ  ＣＥ、例えば前述した休眠用ＭＡＣ  ＣＥは、状態制御の対象であるサービングセルの各々について第２のインジケータを移送する。
【００９８】
対応する例において、デバイス１２０における第１のインジケータの単独での受信は、デバイス１２０が休眠用ＭＡＣ  ＣＥを受信することなく無線ネットワークノード１１０からの送信においてレガシーＭＡＣ  ＣＥを受信することを含む。ここで、"休眠用ＭＡＣ  ＣＥを受信することなく"とは、休眠用ＭＡＣ  ＣＥがレガシーＭＡＣ  ＣＥに対して時間的に又は論理的に結び付けられるやり方では受信されないことを意味する。デバイス１２０における第２のインジケータの単独での受信は、デバイス１２０がレガシーＭＡＣ  ＣＥを受信することなく無線ネットワークノード１１０からの送信において休眠用ＭＡＣ  ＣＥを受信することを含む。デバイス１２０における第１のインジケータ及び第２のインジケータの共時的な受信は、デバイス１２０がレガシーＭＡＣ  ＣＥ及び休眠用ＭＡＣ  ＣＥを同じ送信信号において受信し、さもなければ定義された時間的な又は論理的な関係に従って受信することを含む。
【００９９】
図８は、コアネットワークノード又は例えば無線ネットワークノード１１０などの無線ネットワークノードといった、ワイヤレス通信ネットワークにおける動作のために構成されるネットワークノードの例示的な配置を示す概略ブロック図である。図８は少なくともある適用例において有利であり得る配置を示している一方で、異なる配置に基づくネットワークノードもまた、図６及び／又は図６ａの方法を遂行するように構成されてもよい。広くいうと、ネットワークノードは、固定的な回路、プログラム的に構成された回路、又はそれらの何らかの混成を含み得る。
【０１００】
図８において、例示的なネットワークノードは、処理ユニット２００１を含み、処理ユニット２００１は、例えばここで開示したネットワーク側の動作を遂行するように特に適合され得る。そうした機能性は、コンピュータ読取可能な媒体に記憶された１つ以上のコンピュータプログラムのコンピュータプログラム命令群として具現化されてもよい。対応する形で、ネットワークノードは、１つ以上のタイプの記憶デバイス又は回路を含むメモリ２００２を含み得る。メモリは、例えばコンピュータプログラム１＼２００３の形式の命令群を含み、例えば収容し又は記憶しており、担体２００５を介して記憶され又は移送されるコンピュータ読取可能なコードユニットを含み得る。
【０１０１】
さらなる例示的な実施形態において、ネットワークノードの処理ユニット２００１は、図６ａの方法４１０の処理ステップ４１２を行うように構成される、判定ユニット２０１０を含むか又はそのものとして少なくとも機能的に構成される。さらには、検討したネットワークノードの少なくとも１つの実施形態において、処理ユニット２００１は、図６ａの方法４１０のステップ４１４を行うように構成される選択ユニット２０２０を含む。追加的に、処理ユニット２００１は、図６ａの方法４１０のステップ４１６を行うように構成される指示ユニット２０３０を含む。
【０１０２】
よって、１つ以上の実施形態において、処理ユニット２００１は、ここで開示したネットワーク側の方法の任意の１つ以上を遂行するように構成される。注記したように、処理ユニット２００１は、固定的な回路、プログラム的に構成された回路、又はそれらの何らかの混成を含む。少なくとも１つの実施形態において、処理ユニット２００１は、コンピュータ読取可能な媒体に記憶されたコンピュータ命令群の実行に基づくここで開示したネットワーク側の動作のために特に適合される処理回路を含む。例えば、１つ以上の実施形態において、ネットワークノード１１０は、コンピュータ読取可能なコードユニットを含み得る、例えばコンピュータプログラム２００３の形式のコンピュータ命令群を記憶するメモリ２００２をさらに含む。
【０１０３】
上の観点において、１つの例では、デバイス１２０についてセルの状態を制御するための方法を実行するためのネットワークノード１１０が提供される。ネットワークノード１１０は、例えば、図６及び／又は図６ａに開示した方法の動作を実行するように構成され得る。
【０１０４】
いくつかの実施形態において、処理ユニット２００１は、入出力ユニット２００６を含み、又はさもなければそれに関連付けられ、入出力ユニット２００６は、例えば、無線ネットワークノード１１０により実装されるエアインタフェースを介して送受信を行うためのＲＦ通信回路といった、１つ以上のタイプの通信回路を含む。よって、入出力ユニット２００６は、"通信回路２００６"として言及されてもよい。
【０１０５】
対応する例示的な実装例において、無線ネットワークノード１１０は、ワイヤレス通信ネットワーク１００における動作のために構成され、ワイヤレス通信デバイス１２０とワイヤレスに通信するために構成される通信回路２００６を含む。無線ネットワークノード１１０は、通信回路２００６と動作可能に関連付けられ、図６ａのステップ４１２を行うように構成される処理回路２００４、をさらに含む。処理回路２００４は、図６ａのステップ４１４及び４１４ａを行うようにさらに構成される。
【０１０６】
例示的な実装例における処理回路２００４は、現行の動作状態を考慮して、判定した動作状態を示すために単独での送信のうちの１つを使用できる場合に、単独での送信のうちの１つを選択し、そうではない場合に、共時的な送信を選択する、ように構成される。即ち、処理回路２００４は、状態制御のためにセルごとに２つのインジケータを使用／送信するのと比較して、シグナリングオーバヘッドがより低いという観点から、状態制御のためにセルごとに単一のインジケータを使用／送信することを優先する。しかしながら、デバイス向けの状態制御の対象であるセルのいずれか１つでも、第１のインジケータか又は第２のインジケータかのいずれかの単独での使用に適用可能なシーケンシャルな（状態依存の）制御ロジックに従って所望の状態への移行又はその維持ができない場合には、処理回路２００４は、第１及び第２のインジケータを共時的に送信し、第１及び第２のインジケータの共時的なペアリングが、現行の状態に関わらず、セル状態に対する絶対的な制御を提供する組合せ値を形成する。
【０１０７】
処理回路２００４は、第１のインジケータ及び第２のインジケータのうちの一方を、第１のインジケータ及び第２のインジケータの定義された時間的又は論理的な関係に従って第１のインジケータ及び第２のインジケータのうちの他方を送信することなく送信することにより、各単独での送信を遂行し、第１のインジケータ及び第２のインジケータを、第１のインジケータ及び第２のインジケータの上記定義された時間的又は論理的な関係に従って送信することにより、共時的な送信を遂行する、ように構成される。
【０１０８】
処理回路２００４は、例えば、第１のインジケータ及び第２のインジケータのうちの一方を、第１のインジケータ及び第２のインジケータのうちの他方を含まないメッセージの中で送信することにより、各単独での送信を遂行し、双方のインジケータを同じメッセージの中で送信することにより、共時的な送信を遂行する、ように構成される。第１のインジケータ及び第２のインジケータの各々は、無線ネットワークノード１１０により実行されるメディアアクセス制御（ＭＡＣ）レイヤ処理により使用されるＭＡＣ制御エレメントである。
【０１０９】
少なくとも１つの実装例において、処理回路２００４は、ネットワーク１００内のサービングセル１１の動作状態がワイヤレス通信デバイス１２０についてどうあるべきかを判定する、ように構成され、動作状態は、アクティブ化状態、非アクティブ化状態及び休眠状態のうちのいずれか１つであり得る。さらに、処理回路２００４は、第１のインジケータの単独での送信、第２のインジケータの単独での送信、又は双方のインジケータの共時的な送信のうちで選択を行うことにより、判定した動作状態をワイヤレス通信デバイス１２０へ示すために使用すべきシグナリングメカニズムを選択する、ように構成される。さらには、処理回路２００４は、選択したシグナリングメカニズムを用いて、判定した動作状態をワイヤレス通信デバイス１２０へ示す、ように構成される。例えば、処理回路２００４は、Ｉ／Ｏユニット２００６を用いて、上記インジケーションを移送するシグナリングを送信する。対応する形で、Ｉ／Ｏユニット２００６は、デバイス１２０への無線リンクを有するノードと通信するためのコンピュータデータネットワーク回路といったノード間通信回路を含み、及び／又は、エアインタフェースを介してデバイス１２０と直接的に通信するためのＲＦ回路を含む。
【０１１０】
図９を参照すると、一実施形態によれば、通信システムは、３ＧＰＰ型のセルラーネットワークといった電気通信ネットワーク３２１０を含み、電気通信ネットワーク３２１０は、無線アクセスネットワークといったアクセスネットワーク３２１１とコアネットワーク３２１４とを含む。アクセスネットワーク３２１１は、ＡＰ、ＮＢ、ｅＮＢ、ｇＮＢ、又は他のタイプの無線アクセスポイントといった複数の基地局３２１２ａ、３２１２ｂ、３２１２ｃを含み、その各々が対応するカバレッジエリア３２１３ａ、３２１３ｂ、３２１３ｃを定義する。各基地局３２１２ａ、３２１２ｂ、３２１２ｃは、有線又は無線接続３２１５上でコアネットワーク３２１４へ接続可能である。カバレッジエリア３２１３ｃに位置するＳＴＡなどの第１のユーザ機器（ＵＥ）３２９１は、対応する基地局３２１２ｃへワイヤレスに接続され又は対応する基地局３２１２ｃによりページングされるように構成される。カバレッジエリア３２１２ａ内のＳＴＡなどの第２のＵＥ３２９２は、対応する基地局３２１２ａへワイヤレスに接続可能である。この例では、複数のＵＥが描かれているものの、開示される実施形態は、カバレッジエリア内に単一のＵＥがいる状況、又はそれぞれの基地局へ単一のＵＥが接続している状況へ等しく適用可能である。基地局３２１２ａ、３２１２ｂ、３２１２ｃは、前に説明したネットワークノード１００と等価であってよい。ＵＥ３２９１及び３２９２は、前に説明したデバイス／端末１２０と等価であってよい。
【０１１１】
電気通信ネットワーク３２１０は、それ自体がホストコンピュータ３２３０へ接続され、ホストコンピュータ３２３０は、スタンドアローンのサーバのハードウェア及び／若しくはソフトウェア、クラウド実装のサーバ、分散型サーバで具現化されてもよく、又はサーバファーム内の処理リソースとして具現化されてもよい。ホストコンピュータ３２３０は、サービスプロバイダの所有下にあってもその制御下にあってもよく、又はサービスプロバイダにより若しくはサービスプロバイダのために運用されてもよい。電気通信ネットワーク３２１０とホストコンピュータ３２３０との間の接続３２２１、３２２２は、コアネットワーク３２１４からホストコンピュータ３２３０へ直接的に伸びていてもよく、オプションとしての中間ネットワーク３２２０を介してつながっていてもよい。中間ネットワーク３２２０は、パブリック、プライベート又はホステッドネットワークのうちの１つ又はそれらの複数の組合せであってもよく、中間ネットワーク３２２０は、もしあればバックボーンネットワーク又はインターネットであってもよく、具体的には、中間ネットワーク３２２０は、２つ以上のサブネットワーク（図示せず）を含んでもよい。
【０１１２】
図９の通信システムは、全体として、接続されるＳＴＡ３２９１、３２９２−ＵＥ３２９１、３２９２ともいう−のうちの１つとホストコンピュータ３２３０との間の接続性を可能にする。その接続性は、オーバー・ザ・トップ（ＯＴＴ）接続３２５０として説明されてよい。ホストコンピュータ３２３０及び接続されるＵＥ３２９１、３２９２は、アクセスネットワーク３２１１、コアネットワーク３２１４、任意の中間ネットワーク３２２０及びあり得るさらなる基盤（図示せず）を途中段階として用いて、ＯＴＴ接続３２５０を介してデータ及び／又はシグナリングを通信するように構成される。ＯＴＴ接続３２５０は、ＯＴＴ接続３２５０の通過途上の参加している通信デバイスがアップリンク及びダウンリンクの通信のルーティングを意識しないという意味において、透過的であり得る。例えば、基地局３２１２は、ホストコンピュータ３２３０から発して接続ＵＥ３２９１へ転送（例えば、ハンドオーバ）されるべきデータを伴うインカミングのダウンリンク通信の過去のルーティングについて通知されなくてよく又はその通知を必要としない。同様に、基地局３２１２は、ＵＥ３２９１から発してホストコンピュータ３２３０へ向かうアウトゴーイングのアップリンク通信の将来のルーティングを認識することを必要としない。
【０１１３】
前の段落で議論したＵＥ、基地局及びホストコンピュータの一実施形態に係る例示的な実装が、これより図１０を参照しながら説明される。通信システム３３００において、ホストコンピュータ３３１０は、通信システム３３００の異なる通信デバイスのインタフェースとの有線又は無線の接続をセットアップし及び維持するように構成される通信インタフェース３３１６を含むハードウェア３３１５を備える。ホストコンピュータ３３１０は、さらに、記憶及び／又は処理のケイパビリティを有し得る処理回路３３１８を備える。具体的には、処理回路３３１８は、命令群を実行するように適合される、１つ以上のプログラマブルプロセッサ、特定用途向け集積回路、フィールドプログラマブルゲートアレイ又はそれらの組合せ（図示せず）を含んでよい。ホストコンピュータ３３１０は、さらに、ホストコンピュータ３３１０内に記憶され又はホストコンピュータ３３１０によりアクセス可能なソフトウェア３３１１であって、処理回路３３１８により実行可能な当該ソフトウェア３３１１を備える。ソフトウェア３３１１は、ホストアプリケーション３３１２を含む。ホストアプリケーション３３１２は、ＵＥ３３３０及びホストコンピュータ３３１０で終端するＯＴＴ接続３３５０を介して接続しているＵＥ３３３０といったリモートユーザへサービスを提供するように動作可能であり得る。リモートユーザへのサービスの提供中に、ホストアプリケーション３３１２は、ＯＴＴ接続３３５０を用いて送信されるユーザデータを提供し得る。
【０１１４】
通信システム３３００は、電気通信システムにおいて提供される基地局３３２０をさらに含み、基地局３３２０は、ホストコンピュータ３３１０及びＵＥ３３３０と通信することを可能にするハードウェア３３２５を備える。ハードウェア３３２５は、通信システム３３００の異なる通信デバイスのインタフェースとの有線又は無線の接続をセットアップし及び維持するための通信インタフェース３３２６、並びに、基地局３３２０によりサービスされるカバレッジエリア（図１０には示していない）内に位置するＵＥ３３３０との少なくとも無線接続３３７０をセットアップし及び維持するための無線インタフェース３３２７を含み得る。通信インタフェース３３２６は、ホストコンピュータ３３１０への接続３３６０を促進するように構成され得る。接続３３６０は、直接的なものであってもよく、又は、電気通信システムのコアネットワーク（図１０には示されていない）及び／若しくは電気通信システム外の１つ以上の中間ネットワークを通過してもよい。図示した実施形態において、基地局３３２０のハードウェア３３２５は、命令群を実行するように適合される、１つ以上のプログラム可能なプロセッサ、特定用途向け集積回路、フィールドプログラマブルゲートアレイ又はそれらの組合せ（図示せず）を含み得る処理回路３３２８をさらに含む。基地局３３２０は、内部的に記憶され又は外部接続を介してアクセス可能なソフトウェア３３２１をさらに有する。
【０１１５】
通信システム３３００は、既に言及したＵＥ３３３０をさらに含む。ＵＥのハードウェア３３３５は、ＵＥ３３３０がその時点で位置するカバレッジエリアへサービスする基地局との無線接続３３７０をセットアップし及び維持するように構成される無線インタフェース３３３７を含み得る。ＵＥ３３３０のハードウェア３３３５は、命令群を実行するように適合される、１つ以上のプログラム可能なプロセッサ、特定用途向け集積回路、フィールドプログラマブルゲートアレイ又はそれらの組合せ（図示せず）を含み得る処理回３３３８をさらに含む。ＵＥ３３３０は、さらに、ＵＥ３３３０内に記憶され又はＵＥ３３３０によりアクセス可能なソフトウェア３３３１であって、処理回路３３３８により実行可能な当該ソフトウェア３３３１を備える。ソフトウェア３３３１は、クライアントアプリケーション３３３２を含む。クライアントアプリケーション３３３２は、ホストコンピュータ３３１０のサポートと共に、人間の又は非人間のユーザへＵＥ３３３０を介してサービスを提供するように動作可能であり得る。ホストコンピュータ３３１０において、実行対象のホストアプリケーション３３１２は、実行対象のクライアントアプリケーション３３３２とＵＥ３３３０及びホストコンピュータ３３１０で終端するＯＴＴ接続３３５０を介して通信し得る。ユーザへのサービス提供中に、クライアントアプリケーション３３３２は、ホストアプリケーション３３１２からリクエストデータを受信し、当該リクエストデータへの応答としてユーザデータを提供し得る。ＯＴＴ接続３３５０は、リクエストデータ及びユーザデータの双方を移送し得る。クライアントアプリケーション３３３２は、自身が提供するユーザデータを生成するために、ユーザとインタラクションし得る。
【０１１６】
なお、図１０に示したホストコンピュータ３３１０、基地局３３２０及びＵＥ３３３０は、それぞれ図９のホストコンピュータ３２３０、基地局３２１２ａ、３２１２ｂ、３２１２ｃのうちの１つ、及びＵＥ３２９１、３２９２のうちの１つと同一であってもよい。言うなれば、これらエンティティの内部的な作用は図１０に示した通りであってよく、それとは独立して、周囲のネットワークトポロジーは図９のそれであってよい。
【０１１７】
図１０では、ホストコンピュータ３３１０とＵＥ３３３０との間の基地局３３２０を介する通信を、いかなる中間的なデバイス及びそれらデバイスを介するメッセージの正確なルーティングへの明示的な言及も無く例示するために、ＯＴＴ接続３３５０が抽象的に描かれている。ルーティングを決定するのはネットワーク基盤であってよく、ネットワーク基盤は、ＵＥ３３３０若しくはホストコンピュータ３３１０を動作させるサービスプロバイダ又はそれら双方からルーティングを隠蔽するように構成されてよい。ＯＴＴ接続３３５０がアクティブである間、ネットワーク基盤は、（例えば、負荷分散の考慮又はネットワークの再構成に基づいて）ルーティングを動的に変更するための決定をさらに行ってよい。
【０１１８】
ＵＥ３３３０と基地局３３２０との間の無線接続３３７０は、本開示を通じて説明した実施形態の教示に従う。例えば、基地局３３２０は、状態制御の対象である１つ以上のＳＣｅｌｌを含むＵＥ３３３０向けのＣＡ構成を判定し、例えば、基地局３３２０は、図６及び／又は６ａの詳細に従ってそうした制御を行う。対応する形で、ＵＥ３３３０は、１つ以上のサービングセル−自身のＣＡ構成内のＳＣｅｌｌ群−について状態がどうあるべきかを、例えば図５及び／又は５ａに示した例示的な動作に従いながら、基地局３３２０からのインジケータを受信することに基づいて判定する、そうしたネットワーク側及びデバイス側の動作は、例えばそうした通信をサポートするために必要とされるデータレートの観点で、それらセルのそれぞれの有利なアクティブ化／非アクティブ化及び／又は休眠の制御を含めて、ＵＥ３３３０とホストコンピュータ３３１０との間のデータの交換をサポートする接続性を提供するために使用される統合キャリアの進行中の状態制御を促進する。
【０１１９】
よって、ここで開示した多様な実施形態の１つ以上が、ＯＴＴ接続３３５０を用いてＵＥ３３３０へ提供されるＯＴＴサービスの性能を改善し、無線接続３３７０はその最後のセグメントを形成する。より正確には、これら実施形態の教示は、データレート、レイテンシ及び電力消費を改善し、それにより低減されたユーザの待ち時間、ファイルサイズに対する緩和された制限、及び／又はより良好な応答性若しくは長くなったバッテリ寿命といった利益を提供し得る。
【０１２０】
データレート、レイテンシ及び１つ以上の実施形態により改善される他の要因を監視する目的で、測定手続が提供されてもよい。測定結果の変動に応じてホストコンピュータ３３１０とＵＥ３３３０との間のＯＴＴ接続３３５０を再構成するためのオプションとしてのネットワークの機能性がさらに存在してもよい。上記測定手続及び／又はＯＴＴ接続３３５０を再構成するためのネットワーク機能性は、ホストコンピュータ３３１０のソフトウェア３３１１若しくはＵＥ３３３０のソフトウェア３３３１、又はそれらの双方において実装されてもよい。複数の実施形態において、通信デバイス内に又は通信デバイスに関連付けて、ＯＴＴ接続３３５０が通過するセンサ（図示せず）が配備されてもよく、それらセンサは、上で例示した監視結果の数量の値を供給し又は他の物理量の値を供給することにより上記測定手続に参加してもよく、それらからソフトウェア３３１１、３３３１により監視対象の量が計算され又は推定され得る。ＯＴＴ接続３３５０の再構成は、メッセージフォーマット、再送セッティング、好適なルーティングなどを含んでよい。再構成は、基地局３３２０には影響する必要がなく、基地局３３２０にとっては未知であるか又は感知不能であってもよい。そうした手続及び機能性は、当分野において既知であり又は実用されているかもしれない。ある実施形態において、測定は、ホストコンピュータ３３１０によるスループット、伝播時間及びレイテンシなどの測定を容易化する独自のＵＥシグナリングを包含してもよい。その測定は、ソフトウェア３３１１、３３３１がＯＴＴ接続３３５０を用いて具体的には空であり又は"ダミー"のメッセージであるメッセージを送信しつつ、伝播時間や誤りなどを監視する形で実装されてもよい。
【０１２１】
図１１は、１つの実施形態に従った、通信システムにおいて実装される方法を示すフローチャートである。通信システムは、図９及び図１０を参照しながら説明したものであり得る、ホストコンピュータ、ＡＰといった基地局、及びＳＴＡといったＵＥを含む。本開示を簡明にするために、図１１の図への参照のみが本セクションに含められるであろう。本方法の第１ステップ３４１０において、ホストコンピュータは、ユーザデータを提供する。第１ステップ３４１０の随意的なサブステップ３４１１において、ホストコンピュータは、ホストアプリケーションを実行することによりユーザデータを提供する。第２ステップ３４２０において、ホストコンピュータは、ユーザデータを搬送するＵＥへの送信を開始する。オプションとしての第３ステップ３４３０において、基地局は、本開示を通じて説明される実施形態の教示に従って、ホストコンピュータが開始した上記送信において搬送されたユーザデータをＵＥへ送信する。オプションとしての第４ステップ３４４０において、ＵＥは、ホストコンピュータにより実行されるホストアプリケーションに関連付けられるクライアントアプリケーションを実行する。
【０１２２】
図１２は、１つの実施形態に従った、通信システムにおいて実装される方法を示すフローチャートである。通信システムは、図９及び図１０を参照しながら説明したものであり得る、ホストコンピュータ、ＡＰのような基地局、及びＳＴＡのようなＵＥを含む。本開示を簡明にするために、図１２の図への参照のみが本セクションに含められるであろう。本方法の第１ステップ３５１０において、ホストコンピュータは、ユーザデータを提供する。随意的なサブステップ（図示せず）において、ホストコンピュータは、ホストアプリケーションを実行することによりユーザデータを提供する。第２ステップ３５２０において、ホストコンピュータは、ユーザデータを搬送するＵＥへの送信を開始する。その送信は、本開示を通じて説明される実施形態の教示に従って、基地局を通過し得る。オプションとしての第３ステップ３５３０において、ＵＥは、上記送信において搬送されるユーザデータを受信する。
【０１２３】
図１３は、１つの実施形態に従った、通信システムにおいて実装される方法を示すフローチャートである。通信システムは、図９及び図１０を参照しながら説明したものであり得る、ホストコンピュータ、ＡＰといった基地局、及びＳＴＡといったＵＥを含む。本開示を簡明にするために、図１３の図への参照のみが本セクションに含められるであろう。本方法のオプションとしての第１ステップ３６１０において、ＵＥは、ホストコンピュータにより提供される入力データを受信する。追加的に又は代替的に、オプションとしての第２ステップ３６２０において、ＵＥがユーザデータを提供する。第２ステップ３６２０のオプションとしてのサブステップ３６２１において、ＵＥは、クライアントアプリケーションを実行することによりユーザデータを提供する。第１ステップ３６１０のさらなるオプションとしてのサブステップ３６１１において、ＵＥは、ホストコンピュータにより提供される入力データの受信へのリアクションにおいて、ユーザデータを提供するクライアントアプリケーションを実行する。ユーザデータの提供中に、実行されるクライアントアプリケーションは、ユーザから受け付けられるユーザ入力をさらに考慮してもよい。ユーザデータが提供された具体的なやり方に関わらず、ＵＥは、オプションとしての第３ステップ３６３０において、ホストコンピュータへのユーザデータの送信を開始する。本方法の第４ステップ３６４０において、ホストコンピュータは、本開示を通じて説明される実施形態の教示に従って、ＵＥから送信されるユーザデータを受信する。
【０１２４】
図１４は、１つの実施形態に従った、通信システムにおいて実装される方法を示すフローチャートである。通信システムは、図９及び図１０を参照しながら説明したものであり得る、ホストコンピュータ、ＡＰのような基地局、及びＳＴＡのようなＵＥを含む。本開示を簡明にするために、図１４の図への参照のみが本セクションに含められるであろう。オプションとしての第１ステップ３７１０において、本開示を通じて説明される実施形態の教示に従って、基地局は、ＵＥからのユーザデータを受信する。オプションとしての第２ステップ３７２０において、基地局は、受信したユーザデータのホストコンピュータへの送信を開始する。第３ステップ３７３０において、ホストコンピュータは、基地局により開始される上記送信において搬送されるユーザデータを受信する。
【０１２５】
とりわけ、これまでの説明及び関連付けられる図面において提示した教示の恩恵をもって、当業者には開示した発明の修正例及び他の実施形態が想起されるであろう。したがって、理解されるべきこととして、本発明は開示した特定の実施形態には限定されるものではなく、修正例及び他の実施形態はその開示の範囲内に含まれるものと意図される。ここでは特定の用語が採用されているかもしれないが、それらは汎用的かつ説明的な意味で使用されているにすぎず、限定を目的とはしていない。
【図１】
2021520676.tif 000003
【図２】
2021520676.tif 000004
【図３】
2021520676.tif 000005
【図４】
2021520676.tif 000006
【図５】
2021520676.tif 000007
【図５ａ】
2021520676.tif 000008
【図６】
2021520676.tif 000009
【図６ａ】
2021520676.tif 000010
【図７】
2021520676.tif 000011
【図８】
2021520676.tif 000012
【図９】
2021520676.tif 000013
【図１０】
2021520676.tif 000014
【図１１】
2021520676.tif 000015
【図１２】
2021520676.tif 000016
【図１３】
2021520676.tif 000017
【図１４】
2021520676.tif 000018
【国際調査報告】
2021520676.tif 000019
2021520676.tif 000020